(57)【要約】  無線通信ネットワークにフィードバック情報の通信を構成する方法は、干渉条件に関する情報を取得することを含む。干渉条件は無線通信機器が受ける干渉に関連する。方法はまた、取得した情報に基づいて、無線通信機器に関する同期フィードバック型及び非同期フィードバック型のうちの１つを選択することを含む。加えて、方法は、選択されたフィードバック型に従ってアップリンク送信のフィードバック情報を受信すること及び／又は送信することを含む。【選択図】図６
2015514335.tif 000002
【特許請求の範囲】
【請求項１】
無線通信ネットワーク内でフィードバック情報の通信を構成する方法であって、前記方法は：
干渉条件に関する情報を取得すること（７００、８００）であって、前記干渉条件は
無線通信機器にサービス提供している第１のセル内で、一又は複数の候補サブフレームで前記無線通信機器が受ける干渉に関連しており、前記候補サブフレームの各々はそのサブフレームの間に第２のセル内で送信に関連する候補条件を満たしている取得することと；
前記取得した情報に基づいて、前記無線通信機器に関する同期フィードバック型及び非同期フィードバック型のうちの１つを選択すること（７０６、８０８）と；さらに
前記選択されたフィードバック型に従ってアップリンク送信のフィードバック情報を受信すること（７１０）及び／又は送信すること（８１８）と
を含む方法。
【請求項２】
前記干渉条件は、前記無線通信機器にサービス提供している第１のセルの最大送信出力が閾値を超えるかどうかに関連し；さらに
前記フィードバック型を選択することは、前記第１のセルの前記最大送信出力が前記閾値を超えていないことの決定に応答して、前記非同期フィードバック型を選択することを含む、請求項１に記載の方法。
【請求項３】
前記干渉条件は、前記無線通信機器が前記無線通信機器にサービス提供している第１のセルのセルレンジエクスパンションゾーンの範囲内で動作しているかどうかに関連し；さらに
前記フィードバック型を選択することは、前記無線通信機器が前記第１のセルのセルレンジエクスパンションゾーンの範囲内で動作していることの決定に応答して前記非同期フィードバック型を選択することを含む、請求項１に記載の方法。
【請求項４】
前記干渉条件は、前記無線通信機器が受ける前記干渉を軽減する前記無線通信機器の能力に関連し；さらに
前記フィードバック型を選択することは、前記無線通信機器が第１の軽減技術を適用しているときに前記非同期フィードバック型を選択すること、及び前記無線通信機器が第２の軽減技術を適用しているときに前記同期フィードバックを選択することを含む、請求項１に記載の方法。
【請求項５】
前記無線通信機器は第１のセルによってサービス提供されており；
前記干渉条件は第２のセルによって使用される送信パターンに関連しており；さらに
前記フィードバック型を選択することは、前記第２のセル内でオールモストブランクサブフレーム（ＡＢＳ）として指定されている一又は複数のサブフレームがマルチキャストブロードキャスト単一周波数ネットワーク（ＭＢＳＦＮ）サブフレームを含むかどうかに基づいて、前記フィードバック型を選択することを含む、請求項１に記載の方法。
【請求項６】
前記干渉条件は、前記無線通信機器によって測定される信号強度に関連する、請求項１に記載の方法。
【請求項７】
前記干渉条件は、前記無線通信機器が制限付き測定パターンと共に構成されているかどうか、或いは干渉処理のための支援データを受信したかどうかに関連する、請求項１に記載の方法。
【請求項８】
前記干渉条件は、無線通信機器に関連するフィードバックチャネルの出力レベルが、基準出力レベルから閾値量以上異なっているかどうかに関連する、請求項１に記載の方法。
【請求項９】
前記干渉条件は、前記無線通信機器にサービス提供している第１のセルが永続的な又は半永続的なスケジューリングを利用しているかどうかに関連する、請求項１に記載の方法。
【請求項１０】
前記無線通信機器が一又は複数のフィードバック型に対応していることを示すフィードバック機能情報を取得すること（８０２）、及び／又は前記２つの間で適応的な切り換えを行うことをさらに含み、前記フィードバック型を選択することは、前記干渉条件に関する前記フィードバック機能情報及び前記取得した情報に基づいて前記フィードバック型を選択することを含む、請求項１に記載の方法。
【請求項１１】
フィードバック機能情報を取得することは、第１のセルによってサービス提供されている複数の無線通信機器からフィードバック機能情報を受信することを含み、前記方法は：
前記第１のセルによってサービス提供されていて第１のフィードバック機能を有する無線通信機器の数を決定すること；及び
前記第１のフィードバック機能を有する前記無線通信機器の数が閾値数よりも大きいかどうかに基づいて、前記第１のセルに隣接する第２のセルに対して送信パターンを設定すること
をさらに含む、請求項１０に記載の方法。
【請求項１２】
前記第２のセルに対して前記送信パターンを設定することは、オールモストブランクサブフレーム（ＡＢＳ）として構成される一又は複数のマルチキャストブロードキャスト単一周波数ネットワーク（ＭＢＳＦＮ）サブフレームを送信するように、前記第２のセルを設定することを含む、請求項１１に記載の方法。
【請求項１３】
前記選択されたフィードバック型に応答して、前記無線通信機器の不連続受信（ＤＲＸ）モード及び／又は不連続送信（ＤＴＸ）モードを適合することをさらに含む、請求項１０に記載の方法。
【請求項１４】
前記無線通信機器は複数の無線通信機器の１つを含み；
干渉条件に関する情報を取得することは、前記複数の無線通信機器の各々に対して前記干渉条件に関する情報を取得することを含み；
フィードバック型を選択することは：
前記干渉条件が満たされている第１の無線通信機器群に対して非同期フィードバック型を選択すること；
前記干渉条件が満たされていない第２の無線通信機器群に対して同期フィードバック型を選択すること
を含み、さらに
フィードバック情報を受信すること又は送信することは：
前記第１の群に対して前記選択されたフィードバック型に従って、前記第１の無線通信機器群にフィードバック情報を送信すること；及び
前記第１の群に対して前記選択されたフィードバック型に従って、前記第２の無線通信機器群にフィードバック情報を送信すること
を含む、請求項１に記載の方法。
【請求項１５】
前記選択されたフィードバック型に基づいて無線リンク管理（ＲＬＭ）手続きを適合することをさらに含む、請求項１に記載の方法。
【請求項１６】
前記干渉条件は前記候補条件を含む、請求項１に記載の方法。
【請求項１７】
前記候補サブフレームは、前記第１のセル内に構成される制限付き測定パターンに属し；さらに
前記第２セル内の送信に関連する前記候補条件は、前記候補サブフレームが前記第２のセル内でオールモストブランクサブフレーム（ＡＢＳ）として指定されるサブフレームを備える条件を含む、請求項１６に記載の方法。
【請求項１８】
無線通信システムで通信を構成するための装置（２０、１０００）であって、前記装置は：
情報を無線的に送信するように構成された送信機（９０８、１０１０）と；
送信された情報を無線的に受信するように構成された受信機（９１０、１０１２）と；
プロセッサ（９０２、１００２）であって、
干渉条件に関する情報を取得するように構成され、前記干渉条件は前記無線通信機器にサービス提供している第１のセル内で、一又は複数の前記候補サブフレームで無線通信機器が受ける干渉に関連しており、前記候補サブフレームの各々はそのサブフレームの間に第２のセル内で送信に関連する候補条件を満たしており；
前記取得した情報に基づいて、前記無線通信機器に対して同期フィードバック型及び非同期フィードバック型のうちの１つを選択するように構成され；さらに
前記受信機を介して前記選択されたフィードバック型に従って、アップリンク送信に対してフィードバック情報を受信するように、或いは前記送信器を使用して前記選択されたフィードバック型に従って、アップリンク送信に対してフィードバック情報を送信するように構成された、プロセッサと
を含む装置。
【請求項１９】
前記干渉条件は、前記無線通信機器にサービス提供している第１のセルの最大送信出力が閾値を超えるかどうかに関連し；さらに
前記プロセッサは、前記第１のセルの前記最大送信出力が前記閾値を超えていないことの決定に応答して、前記非同期フィードバック型を選択することによって前記フィードバック型を選択するように構成されている、請求項１８に記載の装置。
【請求項２０】
前記干渉条件は、前記無線通信機器が前記無線通信機器にサービス提供している第１のセルのセルレンジエクスパンションゾーンの範囲内で動作しているかどうかに関連し；さらに
前記プロセッサは、前記無線通信機器が前記第１のセルのセルレンジエクスパンションゾーンの範囲内で動作していることの決定に応答して、前記非同期フィードバック型を選択することによって前記フィードバックを選択するように構成されている、請求項１８に記載の装置。
【請求項２１】
前記干渉条件は、前記無線通信機器が受ける前記干渉を軽減する前記無線通信機器の能力に関連し、さらに
前記プロセッサは、前記無線通信機器が前記第１のセルのセルレンジエクスパンションゾーンの範囲内で動作していることの決定に応答して、前記非同期フィードバック型を選択することによって前記フィードバック型を選択するように構成されている、請求項１８に記載の装置。
【請求項２２】
前記装置は第１のセルによってサービス提供される無線通信機器を含み；
前記干渉条件は第２のセルによって使用される送信パターンに関連し；さらに
前記プロセッサは、前記第２のセル内でオールモストブランクサブフレーム（ＡＢＳ）として指定されている一又は複数のサブフレームがマルチキャストブロードキャスト単一周波数ネットワーク（ＭＢＳＦＮ）サブフレームを含むかどうかに基づいて、前記フィードバック型を選択することによって前記フィードバック型を選択するように構成されている、請求項１８に記載の装置。
【請求項２３】
前記干渉条件は、前記装置によって測定される信号強度に関連する、請求項１８に記載の装置。
【請求項２４】
前記干渉条件は、前記無線通信機器が制限付き測定パターンと共に構成されているかどうかに関連する、請求項１８に記載の装置。
【請求項２５】
前記干渉条件は、無線通信機器に関連するフィードバックチャネルの出力レベルが、基準出力レベルから閾値量以上異なっているかどうかに関連する、請求項１８に記載の装置。
【請求項２６】
前記干渉条件は、前記装置にサービス提供している第１のセルが永続的なスケジューリングを利用しているかどうかに関連する、請求項１８に記載の装置。
【請求項２７】
前記プロセッサは、前記装置に対応している一又は複数のフィードバック型を示すフィードバック機能情報を取得するように構成されており、前記プロセッサは、前記フィードバック機能情報及び前記干渉条件に関する前記取得した情報に基づいて前記フィードバック型を選択することによって、前記フィードバック型を選択するように構成されている、請求項１８に記載の装置。
【請求項２８】
前記プロセッサは、第１のセルによってサービス提供されている複数の無線通信機器からフィードバック機能情報を受信することによって、フィードバック機能情報を取得するように構成されており、前記プロセッサはさらに：
前記第１のセルによってサービス提供されていて第１のフィードバック機能を有する無線通信機器の数を決定し；また
前記第１のフィードバック機能を有する前記無線通信機器の数が閾値数よりも大きいかどうかに基づいて、前記第１のセルに隣接する第２のセルに対して送信パターンを設定する
ように構成されている、請求項２７に記載の装置。
【請求項２９】
前記プロセッサは、オールモストブランクサブフレーム（ＡＢＳ）として構成される一又は複数のマルチキャストブロードキャスト単一周波数ネットワーク（ＭＢＳＦＮ）サブフレームを送信するように、前記第２のセルを設定することによって、前記第２のセルに対して前記送信パターンを設定するように構成されている、請求項２８に記載の装置。
【請求項３０】
前記プロセッサは、前記フィードバック機能情報に基づいて前記装置の不連続受信（ＤＲＸ）モードを設定するように、さらに構成される、請求項２８に記載の装置。
【請求項３１】
前記無線通信機器は複数の無線通信機器の１つを含み、前記プロセッサは；
前記複数の無線通信機器の各々に対して前記干渉条件に関する情報を取得することによって、干渉条件に関する情報を取得し；
前記干渉条件が満たされている第１の無線通信機器群に対して非同期フィードバック型を選択すること；
前記干渉条件が満たされていない第２の無線通信機器群に対して同期フィードバック型を選択すること
によってフィードバック型を選択し；
前記第１の群に対して前記選択されたフィードバック型に従って、前記第１の無線通信機器群にフィードバック情報を送信すること；及び
前記第１の群に対して前記選択されたフィードバック型に従って、前記第２の無線通信機器群にフィードバック情報を送信すること
によってフィードバック情報を受信又は送信する
ように構成されている、請求項１８に記載の装置。
【請求項３２】
前記プロセッサは、前記選択されたフィードバック型に基づいて無線リンク管理（ＲＬＭ）手続きを適合するようにさらに構成されている、請求項１８に記載の装置。
【請求項３３】
前記干渉条件は前記候補条件を含む、請求項１８に記載の装置。
【請求項３４】
前記候補サブフレームは、前記第１のセル内に構成される制限付き測定パターンに属し；さらに
前記第２セル内の送信に関連する前記候補条件は、前記候補サブフレームが前記第２のセル内でオールモストブランクサブフレーム（ＡＢＳ）として指定されるサブフレームを備える条件を含む、請求項３３に記載の装置。
【発明の詳細な説明】
【技術分野】
【０００１】
優先権の主張
本願は、そのすべての開示内容が参照によって本願に組み込まれる、「異種配置におけるＨＡＲＱフィードバック情報の高信頼性受信のための方法」と題する２０１２年３月１６日に出願されたＰＣＴ特許出願番号ＰＣＴ／ＣＮ２０１２／０７２４２９の利点を主張するものである。本開示は概して無線通信に関し、より詳しくは無線送信の信頼性の向上に関する。
【背景技術】
【０００２】
近年通信サービスの利用及び可用性が劇的に向上したことにより、無線通信ネットワークに対する需要が著しく増大している。カバレッジ、スループット、及び信頼性に対する要件は絶えず増大しているため、無線ネットワークの設計及び構成における多くの開発が加速されている。その１つの例が、従来のマクロセル基地局よりも低い最大送信出力レベルを提供する様々な種類の「低出力」ノードの配置によって、従来のマクロセル基地局が補完される「異種」ネットワークの配置であった。これらの低出力ノードは多くの場合、従来のマクロセルアクセスノードよりも小型で、製造においても運用においてもより安価である。
【０００３】
異種配置は、ネットワーク密度を高め、トラフィックのニーズ及び動作環境の変化に適合するための機構を提供する。しかしながら、異種配置は、効率的なネットワーク運用を妨げ、ユーザーの使用感を低下させることがある特有の問題を引き起こす。一般的に低出力ノードに関連した送信出力の低下は、干渉に対する感受性を高める結果となることがある。加えて、異種配置における大型セルと小型セルの混在は、異なるセルで出力能力が非対称になる結果、その他の問題を引き起こすことがある。その結果、異種配置及び他の高度なネットワークでのセル間干渉を低減する効果的な解決策が必要となっている。
【発明の概要】
【０００４】
本開示に基づいて、無線通信に関連する特定の欠点及び問題点は、大幅に低減又は除去される。具体的には、無線通信サービスを提供するためのある機器及び技術が説明される。
【０００５】
本開示の一実施形態に基づいて、無線通信ネットワーク内でフィードバック情報の通信を構成する方法は、干渉条件に関する情報を取得することを含む。干渉条件は無線通信機器が受ける干渉に関連する。方法はまた、取得した情報に基づいて、無線通信機器に関する同期フィードバック型及び非同期フィードバック型のうちの１つを選択することを含む。加えて、方法は、選択されたフィードバック型に従ってアップリンク送信のフィードバック情報を受信及び／又は送信することを含む。
【０００６】
本開示の別の実施形態に基づいて、無線通信システムに通信を構成するための装置は送信機及びプロセッサを含む。送信機は選択されたフィードバック型を示す無線通信機器に構成情報を送信するように構成されている。プロセッサは干渉条件に関する情報を取得するように構成されている。干渉条件は無線通信機器が受ける干渉に関連する。プロセッサはまた、取得した情報に基づいて、無線通信機器に関する同期フィードバック型及び非同期フィードバック型のうちの１つを選択するように構成されている。プロセッサはさらに、選択されたフィードバック型に従ってアップリンク送信のフィードバック情報を受信するように構成されている。
【０００７】
本開示のある実施形態によってもたらされる重要な技術的利点には、無線通信の信頼性の向上が含まれる。特定の実施形態は、無線通信機器が、特に異種ネットワークで受けるセル間干渉を低減することができる。このような実施形態は、送信エラーの回数を低減すること及び／又は無線送信が成功裏に受信される可能性を高めることができる。加えて、特定の実施形態では、干渉セルのスループットに対する影響を最小限に抑えたまま、干渉の低減が実現可能である。本発明の他の利点は、以下の図面、明細書及び特許請求の範囲から当業者には容易に明らかになるであろう。さらに、具体的な利点は上記に列挙されているが、種々の実施形態は列挙された利点のすべて、一部を含むこと、或いは何も含まないことがある。
【０００８】
本発明及びその利点をより完璧に理解するため、添付図面と併せて、以下の説明を参照する。
【図面の簡単な説明】
【０００９】
【図１Ａ】説明されている解決策が実装される無線通信システムの特定の実施形態を図解している。
【図１Ｂ】説明されている解決策が実装される無線通信システムの特定の実施形態を図解している。
【図１Ｃ】説明されている解決策が実装される無線通信システムの特定の実施形態を図解している。
【図２Ａ】マルチキャストブロードキャスト単一周波数ネットワーク（ＭＢＳＦＮ）オールモストブランクサブフレーム（ＡＢＳ）として構成されたサブフレームに対する送信パターンの実施例を示す。
【図２Ｂ】非ＭＢＳＦＮ  ＡＢＳサブフレームとして構成されたサブフレームに対する送信パターンの実施例を示す。
【図３】実施例のフレーム構成に従うＭＢＳＦＮ構成可能なサブフレームを示す図である。
【図４】実施例の同期ハイブリッド自動再送要求（ＨＡＲＱ）スキームに従うＨＡＲＱシグナリングに対するタイミングを図解している。
【図５】ダウンリンク送信を保護するために使用されうる例示的なオールモストブランクサブフレーム（ＡＢＳ）パターンのタイミングに対する、例示的な同期ＨＡＲＱ下でのＨＡＲＱシグナリングのタイミングを図解している。
【図６】例示的な非同期ＨＡＲＱスキームが使用されるときの、図５のダウンリンク送信及び候補サブフレームの相対的なタイミングの別の実施例を図解している。
【図７】使用するフィードバック型を適応的に選択する際の無線通信機器の特定の実施形態に対する実施例の動作を図解するフロー図である。
【図８Ａ】使用するフィードバック型を適応的に選択する際の無線アクセスノードの特定の実施形態に対する実施例の動作を図解するフロー図である。
【図８Ｂ】使用するフィードバック型を適応的に選択する際の無線アクセスノードの特定の実施形態に対する実施例の動作を図解するフロー図である。
【図９】無線通信機器の特定の実施形態を図解するブロック図である。
【図１０】無線アクセスノードの特定の実施形態を図解するブロック図である。
【発明を実施するための形態】
【００１０】
図１Ａは、一又は複数の無線通信機器２０に通信サービスを提供する無線通信システム１０を図解している。無線通信システム１０は、特定の地理的エリア内の通信サービスに無線アクセスを提供するアクセスネットワーク３０、及び無線通信システム１０内で情報のバックホール配信を提供するコアネットワーク４０を含む。アクセスネットワーク３０は、ある実施形態で、複数の異なる種類の無線アクセスノード（例えば、基地局３２及び低出力ノード３４の双方）を含む複数の無線アクセスノードを含む。各無線アクセスノードは一又は複数のセル５０にサービスを提供する。セル５０が近接している（及び重なる可能性がある）ため、第１のセル５０（本明細書では「ビクティムセル」と呼ぶ）内で動作する無線通信機器２０は、ビクティムセルに重なる又は近接する第２のセル５０（本明細書では「アグレッサセル」と呼ぶ）内で発生する送信によって干渉を受けることがある。このアグレッサセルは、ビクティムセルとして同一の無線アクセスノードによってサービス提供されること、又は別の無線アクセスノードによってサービス提供されることがある。
【００１１】
加えて、上述のように、アクセスネットワーク３０は、異なる出力レベルで送信する無線アクセスノードが配備される異種ネットワークを表すことがある。無線アクセスノードが干渉セルにサービスを提供するときよりも高い出力を使用する無線アクセスノードによってビクティムセルがサービス提供される場合には、例えば図１Ａに関して、ビクティムセルが低出力ノード３４の１つによってサービス提供され、且つアグレッサセルが基地局３２の１つによってサービス提供される場合には、これはより深刻な干渉の問題を引き起こすことがある。
【００１２】
このような干渉の問題は、ある種の低出力ノード３４を利用する異種ネットワークに一般的に実装される特定の解決策によって、さらに悪化することがある。例えば、図１Ｂは、一又は複数の低出力ノード３４がクローズドサブスクライブドグループ（ＣＳＧ）を利用するように構成されているときに、無線通信システム１０のある実施形態に起こりうる問題を図解している。図１Ｂの実施例では、一又は複数の低出力ノード３４はＣＳＧを利用するように構成されている。ＣＳＧの利用により、低出力ノード３４は「クローズドサブスクライバグループ」の一部となる特定の認定ユーザーに対してサービスへのアクセスを制限することができる。ＣＳＧで構成された無線アクセスノードは、ＣＳＧのメンバである無線通信機器２０に通信サービスを提供するが、当該ノードのＣＳＧのメンバではない無線通信機器２０へのサービスは拒否する。例えば、職場で従業員にサービスを提供するため使用者によって操作されるピコセルは、その会社のすべての従業員の無線通信機器２０を含むＣＳＧで構成されてもよい。ＣＳＧを使用することにより、この低出力ノード３４は、その会社の従業員に対して隣接する基地局３２によって提供されるものを超える付加的な又はより良いサービスカバレッジを提供しうるが、エリア内の非従業員がピコセルの送信、受信、又は処理リソースに接続するのを防止することができる。
【００１３】
したがって、ＣＳＧ低出力ノード３４によってサービス提供されるセル５０で動作している非ＣＳＧ無線通信機器２０は、ＣＳＧ低出力ノード３４が最も近い無線アクセスノードであるとしても、ＣＳＧ低出力ノード３４を利用することができない。一方、ＣＳＧ低出力ノード３４によって行われる無線送信は、これらの非ＣＳＧ無線通信機器２０とこれらにサービス提供する他の無線アクセスノードとの間の通信に干渉することがある。しかも、非ＣＳＧ無線通信機器２０は、ＣＳＧ低出力ノード３４からサービスを得ることができないにもかかわらず、ＣＳＧ低出力ノード３４のきわめて近くに配置されることがあり、これにより非ＣＳＧ無線通信機器２０に対して著しい量の干渉を引き起こすことがある。例えば、図１Ｂに示した実施例では、無線通信機器２０ｇは低出力ノード３４ｇによってサービス提供されるＣＳＧのメンバではなく、低出力ノード３４ｇからサービスを得ることはできないものと想定されている。その代り、無線通信機器２０ｇはセル５０ｊの基地局３２ｇによってサービス提供される。その結果、ＣＳＧ低出力ノード３４ｇによってサービス提供されるセル３４ｇは、無線通信機器２０がセル３４ｇに重なるセル５０ｊの一部の中で動作している間に、アグレッサセルとして作用することがある。このアグレッサセル５０ｇからの干渉は、無線通信機器２０ｇが低出力ノード３４ｇにきわめて近いところで動作しているときには、きわめて強くなることがある。
【００１４】
特に異種ネットワークで起こりうる別の干渉の問題は、「セルレンジエクスパンション」（又は「セルレンジエクステンション」）（ＣＲＥ）の使用に関連している。図１Ｃは、一又は複数の低出力ノード３４がＣＲＥに対応するように構成されている実施例を図解している。ＣＲＥでは、セル選択／再選択は、例えば、付加的なエリア（図１ＣのＣＲＥゾーン５２で表される）を含むように低出力セルのカバレッジを拡張するパスロス又はパスゲインベースのアプローチに対する、従来の信号強度ベース（ＲＳＲＰベース）のアプローチとは異なる。特定のＣＲＥゾーン５２が大きくなればなるほど、その境界ではサービングセルの信号強度は弱くなる。これにより、隣接するマクロセルは、ＣＲＥゾーン５２内で動作している無線通信機器２０に対してアグレッサセルとして作用することがある。例えば、図１Ｃでは、基地局３２ｋによってサービス提供されるセル５０ｍは、低出力ノード３４ｋのＣＲＥゾーン５２ｋ内で動作している無線通信機器２０ｋに対してアグレッサセルとして作用することがある。したがって、一般に、図１Ａ〜１Ｃで示したように、セル間干渉は無線通信システムにおいて、特に異種配置を実装する無線通信システムにおいて、重大な懸念となることがある。
【００１５】
このようなセル間干渉から特定の種類のシグナリングを保護することは重要であろう。例えば、ロングタームエボリューション（ＬＴＥ）対応の無線通信システム１０のある実施形態は、送信エラーの訂正に関して、ハイブリッド自動再送要求（ＨＡＲＱ）機能を利用することができる。特定の実施形態では、ＨＡＲＱ機能は伝送ブロックを送信及び再送信するＮプロセスストップアンドウェイト機構を提供する。伝送ブロックを受信すると、受信機は伝送ブロックのデコードを試み、デコードが成功したかどうか及び／又は伝送ブロックの再送信が必要かどうかを示すフィードバック情報（例えば、受信の成功に対しては承認（ＡＣＫ）、或いは受信の失敗に対しては非承認（ＮＡＫ）を表す単一ビット）を送信することによって、デコード操作の結果を送信機に通知する。アグレッサセルからの干渉によって、この種のフィードバック情報が成功裏に送信されることが妨げられる場合には、かなり多数の不必要な再送信が発生すること及び／又は誤って受信された送信が再送信されないことがありうる。
【００１６】
加えて、ＨＡＲＱはまた、第１のスケジュールされたアップリンク送信（例えば、初回のアクセス、ハンドオーバ後、ＲＲＣ接続完了時など）及びダウンリンクでの競合解消（ＨＡＲＱフィードバックは、競合解消メッセージでエコーバックされたメッセージ３に規定されているように、自らの識別子を検出する無線通信機器２０によってのみ送信される）の双方に関して、競合ベースランダムアクセス送信のために使用されてもよい。第１のアップリンク送信ステップ又は競合解消ステップでのＨＡＲＱの失敗は、例えば、当該の無線通信機器２０によるセル無線ネットワーク一時識別子（Ｃ−ＲＮＴＩ）の検出の失敗、又は同一のＣ−ＲＮＴＩを別の無線通信機器２０に誤って割り当てることなどを引き起こすことがある。
【００１７】
無線通信システム１０のある実施形態は、送信の一部又はすべてに対して「同期ＨＡＲＱ」を利用する。例えば、ＬＴＥ実装は、アップリンク共有チャネル（ＵＬ−ＳＣＨ）上でアップリンクユーザーデータ送信に対して同期ＨＡＲＱを使用して、物理ハイブリッド自動再送要求指示チャネル（ＰＨＩＣＨ）上でのダウンリンクにＨＡＲＱフィードバック情報を提供する。同期ＨＡＲＱは、同期ＨＡＲＱフィードバック及び同期再送信を含む。このような実施形態では、フィードバック情報のダウンリンク送信及び任意のアップリンク送信のためのタイムインスタンツは、アップリンク送信のためにスケジューリングされたサブフレームに基づいて固定されており、無線アクセスノード及び当該の無線通信機器２０の双方に対して既知である。その結果、このＨＡＲＱモードで動作している場合には、ＨＡＲＱプロセスナンバの信号伝達が不要になることがある。再送信の最大回数は無線通信機器２０ごとに設定されてもよい。同期ＨＡＲＱの運用の実施例を図４に示す。
【００１８】
無線通信システム１０の特定の実施形態では、アグレッサセルでの送信は、これらのセルにサービス提供する無線アクセスノードによって行われるダウンリンク送信を制限する所定の送信パターンによって制約されることがある。これらの送信パターンは、当該のセルでダウンリンク送信を行うために使用される時間及び／又は周波数リソースを制限することがある。その結果、これらの送信パターンは、別の時間及び／又は周波数リソースのアグレッサセルによる干渉からビクティムセルを保護することができる。
【００１９】
例えば、無線通信システム１０は、あるサブフレームの間に最小量のシグナリングを送信するこれらの無線アクセスノードをもたらすオールモストブランクサブフレーム（ＡＢＳ）を利用する、無線アクセスノードを構成することができる。特定の実施形態では、ＡＢＳパターンは、当該セル５０に対して、低出力及び／又は低送信アクティビティサブフレーム（例えば、少ない数の変調シンボルが送信される或いはデータ又はシグナリングの量において他の何らかの減少が起こるサブフレーム）を定義する。例えば、潜在的なアグレッサセルに対するＡＢＳパターンは、アグレッサセルでユーザーデータが送信されていない間に任意の数のサブフレームを指定することができるが、当該サブフレームの間に制御チャネル情報が送信されていることがある。特定の実施形態では、ＡＢＳパターンは無線アクセスノード間で（例えば、Ｘ２インターフェースを介して）交換可能である。
【００２０】
さらに、特定の実施形態では、アグレッサセルによって引き起こされるセル間干渉は、マルチキャストブロードキャスト単一周波数ネットワーク（ＭＢＳＦＮ）サブフレームとしても構成される、これらのＡＢＳサブフレームの間に大幅に低減可能である。ある実施形態では、ＭＢＳＦＮサブフレームは非ＭＢＳＦＮ領域とＭＢＳＦＮ領域とに分割される。例えば、非ＭＢＳＦＮ領域は、非ＭＢＳＦＮ領域の長さが１つ又は２つのシンボルである（例えば、リソースブロックの数が１０を超えるときには、１つのシンボルが１つ又は２つのセル固有ポートと共に使用されることがある）ＭＢＳＦＮサブフレームの中で、最初の１つまたは２つの直交周波数分割多重（ＯＦＤＭ）シンボルに及ぶことがある。このような実施形態では、ＭＢＳＦＮサブフレームの中のＭＢＳＦＮ領域は、非ＭＢＳＦＮ領域の一部を構成しないＯＦＤＭシンボルとして定義されることがある。ＭＢＳＦＮサブフレームの一部は、物理マルチキャストチャネル（ＰＭＣＨ）送信などのマルチキャスト送信を実行するが、その名称にもかかわらず、すべてのＭＢＳＦＮサブフレームがこのような送信を含むわけではない。マルチキャスト送信のないＭＢＳＦＮサブフレームは、本明細書では「ブランクＭＢＳＦＮサブフレーム」と呼ばれる。
【００２１】
それにもかかわらず、ブランクＭＢＳＦＮサブフレームの中であっても、ある種のシグナリングは非ＭＢＳＦＮ領域の一部の中で送信されることがある。例えば、ＬＴＥネットワークでは、共通参照信号（ＣＲＳ）はブランクＭＢＳＦＮサブフレームの非ＭＢＳＦＮ領域内で、すなわち第１のシンボル内で送信されてもよい。しかしながら、非ＭＢＳＦＮ領域内で構成されるＡＢＳ（「非ＭＢＳＦＮ  ＡＢＳ構成」）とは異なり、ブランクＭＢＳＦＮサブフレームの中で構成されるＡＢＳは、ある種の情報（例えば、ＬＴＥネットワークのＣＲＳ）はＭＢＳＦＮサブフレームのＭＢＳＦＮ領域に送信されないという事実によって、セル間干渉が減少する結果となることがある。無線通信システム１０の特定の実施形態で使用されうるＭＢＳＦＮ  ＡＢＳ構成の実施例に対するサブフレームの図は図２Ａに概略的に図解されており、一方特定の実施形態で使用されうる非ＭＢＳＦＮ  ＡＢＳ構成の実施例に対するサブフレームの図は図２Ｂに概略的に図解されている。図２Ａ及び２Ｂの実施例では、２つの送信アンテナポートは、第１のポート（「Ｒ０」で表示）及び第２のポート（斜交線で表示）に対して示された送信と共にＣＲＳに対して使用されることが想定されている。図２Ａ及び２Ｂからわかるように、潜在的なアグレッサセルがＭＢＳＦＮ  ＡＢＳで構成される場合には、送信は非ＭＢＳＦＮ  ＡＢＳで構成される場合よりもサブフレーム当たりより少ないシンボル数で起こり、結果的にＭＢＳＦＮ  ＡＢＳで構成されるアグレッサセルからの全体的な干渉は減少する。
【００２２】
しかしながら、すべてのダウンリンク（ＤＬ）サブフレームがＭＢＳＦＮ構成可能なわけではない。図３は、周波数分割二重通信（ＦＤＤ）が利用される場合、ＭＢＳＦＮ構成がロングタームエボリューション（ＬＴＥ）ネットワークの３ＧＰＰ  ＴＳ３６．３３１仕様書の下でどのように制約されるかの実施例を示している。図３に示すように、一部のシステム情報はこれらのサブフレームで送信される必要があるため、ＭＢＳＦＮはＦＤＤシステム内のサブフレーム＃０、＃４、＃５、＃９で構成されえないことがある。したがって、このような実施形態では、サブフレーム＃１、＃２、＃３、＃６、＃７、及び＃８はＭＢＳＦＮサブフレームで構成されえない。図３に示したＦＤＤ制約とは対照的に、時分割二重通信（ＴＤＤ）ＬＴＥシステムでは、ＭＢＳＦＮに対してサブフレーム＃３、＃４、＃７、＃８及び＃９のみが構成されうる。より多くのサブフレームを保護するため、ＭＢＳＦＮ及び非ＭＢＳＦＮ  ＡＢＳの混合を使用することが可能であるが、ＭＢＳＦＮ及び非ＭＢＳＦＮ  ＡＢＳサブフレームの混合は、不正確なセル状態情報のレポート、高度な受信機を備えた無線通信機器２０に対する効率の低い復調アルゴリズム、ネットワーク構成上の不必要な制約、及びアグレッサセルでのスループットの低下、などの他の問題を生む可能性がある。加えて、利用可能なＭＢＳＦＮサブフレームの一部は、干渉の解除以外の目的で使用されることが必要になることがある。したがって、無線通信システム１０は、保護することが必要であるか保護することが望ましいビクティムセル内のすべてのダウンリンクサブフレームを保護するため、ＡＢＳに対して利用可能な十分なＭＢＳＦＮセルを有していないことがある。これは、ＭＢＳＦＮサブフレームがある時点で干渉を低減するためだけに使用されうること、及び特定の実施形態では、保護されうる期間がネットワークごとに変わりうることを意味する。
【００２３】
したがって、アグレッサセル送信パターンが構成されうる方法に関する制約は、ＭＢＳＦＮ  ＡＢＳパターンなどの送信パターンを使用して、ビクティムセル内で必要なすべての送信リソースを干渉から保護することを不可能にすることがある。例えば、無線通信システム１０の特定の実施形態でＨＡＲＱタイミングが８ｍｓの周期に基づいていると想定すると、これはＬＴＥに対して設定されたＨＡＲＱ周期と矛盾しない。アップリンクグラントがサブフレームｎに最初に割り当てられると、ＨＡＲＱフィードバック情報（例えば、ＡＣＫ／ＮＡＫの指示）はサブフレーム（ｎ＋８ｋ）ｍｏｄ（１０）のＰＨＩＣＨチャネル上で送信される。ここでｋは任意の正の整数値であり、ｍｏｄ（．）は除算後の余りである。ｎが奇数の場合、サブフレーム１、９、７、５、及び３は、対応するＨＡＲＱプロセスに関してＡＣＫ／ＮＡＫ情報を有することになる。この場合、サブフレーム９及び５は保護が必要になるが、これらのサブフレームは図３に図解されている実施例ではＭＢＳＦＮ構成可能ではない。ｎが偶数の場合、ダウンリンクＨＡＲＱフィードバック情報は、対応するＨＡＲＱプロセスに関してサブフレーム０、８、６、４、及び２に送信される。この場合、サブフレーム０及び４は保護が必要になるが、図３の実施例の下ではどちらもＭＢＳＦＮ構成可能ではない。
【００２４】
これがどのようにして問題を引き起こすかを説明するため、図４は実施例の同期ＨＡＲＱスキームの下でＨＡＲＱシグナリングシーケンスに対するタイミングを図解している。一方、図５は実施例のオールモストブランクサブフレーム（ＡＢＳ）パターンのタイミングに対して実施例の同期ＨＡＲＱスキームの下でのＨＡＲＱシグナリングのタイミングを示している。実施例の同期ＨＡＲＱスキームでは、アップリンクデータ送信とダウンリンクフィードバック送信及び／又は任意の起こりうる再送信との間のタイミングの関係性は固定されることがある。例えば、図４に示した実施例では、無線通信機器２０は特定のサブフレームの間にアップリンクデータ送信を送信し、この無線通信機器２０にサービス提供する無線アクセスノードは、アップリンク送信から決められた数のサブフレーム期間が経過した時点で応答ＨＡＲＱフィードバック送信を送信する。例示的な実施例では、ＨＡＲＱフィードバック送信は対応するアップリンク送信から４サブフレーム後に行われ、ＨＡＲＱラウンドトリップタイム（ＲＴＴ）は８サブフレームである。アグレッサセルで使用されるＭＢＳＦＮ  ＡＢＳ構成は８サブフレーム周期と一致しないことがあるため（例えば、図３に示したように）、応答ダウンリンク送信が起こりうるサブフレームは、アグレッサセルのＡＢＳ構成によって保護されていない、又は保護が少ないサブフレームを含みうる。
【００２５】
このようなシナリオの実施例を図５に示す。具体的には、図５は、ビクティムセルで起こりうる同期ＨＡＲＱシグナリングとアグレッサセルでのＡＢＳ構成との間のタイミングの関係の例を示す。図５が示すように、アップリンク送信とこれに関連するダウンリンク送信との間の固定されたタイミングの関係が維持されている場合には、問題が生じることがある。ビクティムセル内の無線通信機器２０がＰＨＩＣＨ送信を成功裏に受信及びデコードする可能性がある場合には、アグレッサセル内にＭＢＳＦＮ  ＡＢＳサブフレームを構成することによって、又は他の何らかの機構によって、ビクティムセル内のＰＨＩＣＨ送信を保護することが必要になることがある。図５の実施例では、アグレッサセル内でＭＢＳＦＮ  ＡＢＳサブフレームによる保護を必要とする、又はＭＢＳＦＮ  ＡＢＳサブフレームによって保護されることで著しい利益を享受しうるビクティムセル内のサブフレームが「保護されるサブフレーム」と書かれた行に表示されている。図５で指示されているように、この実施例の構成では、ＭＢＳＦＮはこれらのサブフレームでは構成されえないため、無線フレーム０のサブフレーム９及び無線フレーム２のサブフレーム５は、ＭＢＳＦＮ  ＡＢＳサブフレームによって保護することはできない。その結果、ＰＨＩＣＨ送信の一部のみがＭＢＳＦＮ  ＡＢＳサブフレームによって保護可能となり、ＭＢＳＦＮサブフレームに対する構成の制約及びアップリンク送信と応答ＨＡＲＱ送信との間の固定されたタイミングの関係により、一部のＰＨＩＣＨ送信は確実に検出されないことがある。
【００２６】
これは、当該のダウンリンク送信（例えば、ＰＨＩＣＨ上で送信されるＨＡＲＱフィードバック情報）の周期、及びビクティムセルでのダウンリンク送信を保護するための適切な干渉条件をもたらす送信パターン（例えば、ＭＢＳＦＮ  ＡＢＳパターン）の周期との不一致の結果として、特定の実施形態で起こりうるより一般的な問題の例である。アグレッサセル（例えば、ＭＢＳＦＮ  ＡＢＳパターン）に対して構成される送信パターンを単純に生かすことによって、ビクティムセル内のダウンリンク送信の一部を保護することは可能であるが、アップリンク送信とこれに対応するダウンリンク送信との間のタイミングの関係が固定されているため、この方法ではビクティムセル内のすべてのダウンリンク送信を保護することができないことがある。一般的に、アグレッサセルによる干渉から保護することができる時間及び／又は周波数リソースに（例えば、ＭＢＳＦＮ／非ＭＢＳＦＮ、サイクリックプレフィックス構成、干渉条件、ネットワーク構成、機器の動作状態などのサブフレームの種類による）制限があり、同時に（同期ＨＡＲＱのタイミングの制約により）ビクティムセル内で特定のダウンリンク送信を行わなければならない所定の時点が存在する場合には、これらの所定の時点はダウンリンク送信に対して必要となるかもしれないすべてのサブフレームを完全には包含できないことがある。したがって、干渉から保護されうるサブフレームのパターンとこのような保護を必要とするダウンリンク送信との間の周期の不一致を示す無線通信システム１０の実施形態では、付加的な策を講じることなく保護を必要とするすべてのダウンリンク送信を保護できないことがある。
【００２７】
その結果、無線通信システム１０は、当該のダウンリンク送信が干渉保護される又はされうる「候補」リソースの事前に定義した実行可能なサブセットと一致することを保証するため、ビクティムセル内のあるダウンリンク送信に対して使用される時間及び／又は周波数リソースを制御するように構成されている。より具体的には、無線通信システム１０、無線通信システム２０及び無線アクセスノードの特定の実施形態は、同期型のフィードバックと非同期型のフィードバックとの間で切り換えることで、ダウンリンクフィードバック送信のタイミングに大きな柔軟性をもたらすことができる。その結果、ビクティムセル内の当該ダウンリンク送信は、アグレッサセルによる干渉から保護される候補送信リソース（例えば、候補サブフレーム）を使用して行うことができる。例えば、ＨＡＲＱフィードバックがビクティムセル内でのエラー送信の再送信の起動に使用され、ＭＢＳＦＮ  ＡＢＳサブフレームがアグレッサセル内で構成されている実施形態では、同期ＨＡＲＱ動作のタイミング制約によりフィードバックが非ＡＢＳサブフレーム内で送信されるように強いられている状況にあっても、ＨＡＲＱフィードバック情報がアグレッサセルのＭＢＳＦＮ  ＡＢＳサブフレームの間に送信されるのを許可するため、無線通信機器２０及び無線通信機器２０がサービス提供している無線アクセスノードは非同期ＨＡＲＱに切り換えることが可能である。特定の実施形態では、これらの候補サブフレームは、アグレッサセル内の基地局３２ａによる送信が何らかの方法によって制限されるサブフレーム（例えば、ＡＢＳ構成の下でＡＢＳサブフレームとして構成されるサブフレーム）、低出力ノード３４ａ又はアクセスネットワーク３０が干渉に敏感なある種の又はすべての動作に対して受け入れ可能であるように指定されているサブフレーム（例えば、無線通信機器２０ａに対して構成される制限付き測定パターンによって特定されるサブフレーム）、又はこれら２つの何らかの組み合わせを表すことがある。代替的に、幾つかの実施形態では、候補サブフレームは、アグレッサセル内での送信及び／又は無線通信機器２０の受信機の種類に関連する強い干渉に対処する無線通信機器２０の能力（例えば、ある種の干渉に対処する又はこれを軽減する能力の目安）に依存することがある。さらに一般的に、候補リソースは、当該のサブフレームの間にアグレッサセル内で送信を行う任意の好適な方法に関連する候補条件を満たす、任意の時間及び／又は周波数リソースを表すことがある。
【００２８】
ここで、図１Ａに示した実施例の実施形態に戻ると、無線通信システム１０の例示的な実施形態は、無線通信システム１０によってサービス提供される複数のセル５０の中で動作する一又は複数の無線通信機器２０に無線通信サービスを提供する。無線通信システム１０は、限定するものではないが、任意のロングタームエボリューション（ＬＴＥ）、ワールドワイド・インターオペラビリティ・フォー・マイクロウェーブ・アクセス（ＷｉＭＡＸ）、広帯域符号分割多元接続（ＷＣＤＭＡ（登録商標））通信規格などを含む、任意の好適な種類の及び／又は任意の適切な通信規格に従う通信に対応してもよい。
【００２９】
無線通信機器２０は、無線通信システム１０と無線的に情報をやりとりすることができる任意の機器を表す。無線通信機器２０の実施例は、無線電話、パーソナルデジタルアシスタント（ＰＤＡ）、ラップトップコンピュータ、及び通信システム１０による使用に適した他の任意の可搬型通信機器など、従来の通信機器を含む。例えば、特定の実施形態では、無線通信機器２０はＬＴＥユーザー機器（ＵＥ）の例を表す。加えて、特定の実施形態では、無線通信機器２０はまた、自動化機器又はマシン型通信（ＭＴＣ）が可能な機器を表すこともある。例えば、無線通信機器２０は、無線計測器又はセンサ、デジタル掲示板、無線対応家電（例えば、洗濯機、温風機、デジタルビデオレコーダ（ＤＶＲ））、又はアクセスネットワーク３０との無線通信が可能な他の任意の機器を表すことがある。
【００３０】
アクセスネットワーク３０は、無線通信機器２０と無線的に通信を行い、無線通信機器２０とコアネットワーク４０との間のインターフェースとして働く。アクセスネットワーク３０は、無線アクセスネットワーク及び／又は、コアネットワーク４０に無線又はエアインターフェースを提供する機能を負う任意の要素を表す又は含むことがある。アクセスネットワーク３０は、無線通信機器２０と無線的に通信することができる一又は複数の無線アクセスノードを含む。図１Ａの実施例の実施形態では、これらの無線アクセスノードは複数の基地局３２及び低出力ノード３４を含む。アクセスネットワーク３０はまた、基地局コントローラ、アクセスサーバ、ゲートウェイ、リレー、リピータ、及び／又は基地局３２によって使用される無線チャネルの管理、ユーザー認証、基地局３２と他の無線アクセス要素との間のハンドオフの制御、及び／又は基地局３２の相互運用の管理及びコアネットワーク４０への基地局３２の接続に好適な任意の付加的なコンポーネントを含むことがある。
【００３１】
特定の実施形態では、アクセスネットワーク３０は、複数の異なる種類の無線アクセスノードが配備される異種ネットワークを表すことがある。例えば、図１Ａの例示的な実施例では、アクセスネットワーク３０は、各々が一又は複数のセル５０にサービスを提供する複数の基地局３２、及び各々が一又は複数のセルにサービスを提供する複数の低出力ノード３４を含む。本明細書では、基地局３２によってサービス提供されるセル５０を「マクロ」セルと呼び、低出力局３４によってサービス提供されるセル５０を「マイクロ」セルと呼ぶ。特定の実施形態では、低出力局３４によってサービス提供されるマイクロセルは、図１Ａに示すように近隣基地局３２によってサービス提供される一又は複数のマクロセルと実質的に重なることがある。
【００３２】
基地局３２は、無線通信機器２０への無線通信サービスを促進するため、無線通信機器２０と無線的に通信を行う。基地局３２は、無線通信機器２０との通信を行い、無線通信機器２０をコアネットワーク４０に接続するための任意の適切な要素を含みうる。例えば、アクセスネットワーク３０及びコアネットワーク４０によって支持される通信規格に応じて、各基地局３２は、基地局、ＮｏｄｅＢ、ｅｖｏｌｖｅｄ  ＮｏｄｅＢ（ｅＮｏｄｅＢ）、無線基地局（ＲＢＳ）、又は無線通信機器２０と無線的に通信することができる他の好適な要素を表す又は含んでもよい。
【００３３】
同様に、低出力ノード３４は、無線通信機器２０への無線通信サービスを促進するため、無線通信機器２０と無線的に通信を行う。低出力ノード３４は、無線通信機器２０との通信を行い、無線通信機器２０をコアネットワーク４０に接続するための任意の適切な要素を含みうる。特定の実施形態では、低出力ノード３４は基地局３２よりも低い最大送信出力を有してもよく、基地局３２よりも低い送信出力を使用するように構成されてもよい。低出力ノード３４の実施例は、限定するものではないが、ピコ基地局、フェムト基地局、マイクロ基地局、ホームｅＮｏｄｅＢ（ＨｅＮＢ）、及び無線ローカルアクセスネットワーク（ＷＬＡＮ）アクセスポイントを含む。
【００３４】
「低出力」と呼ばれてはいるものの、低出力ノード３４は、特定の実施形態では、基地局３２と同一の物理要素を含んでもよいが、ある時点では、単純に基地局３２とは別に運用するように構成されてもよい。さらに、以下の説明は、例示を目的として、アクセスネットワークが送信出力の異なる無線アクセスノードを含む実施形態に焦点を当てているが、アクセスネットワーク３０の他の実施形態は、運用及び／又は他の機能又は特性の他の態様に関して異なる種類の無線アクセスノードを含むことがある。しかも、アクセスネットワーク３０の代替的な実施形態は、無線アクセスノードのすべてが同様または同一である同種ネットワークを表すことがある。
【００３５】
アクセスネットワーク３０内の各無線アクセスノードは、当該無線アクセスノードによってサービス提供される一又は複数のセル５０に関連している。セル５０は、対応する無線アクセスノードによってサービス提供される近接した地理的な領域を定義することができる。単純化するため、図１Ａは、各無線アクセスノードが単一のセル５０にサービス提供するように構成される実施例の実施形態を図解している。しかしながら、特定の実施形態では、無線アクセスノードは複数の異なるセル５０に対応することができる。例えば、キャリアアグリゲーション又は他のマルチキャリア機能に対応する実施形態では、特定の無線アクセスノードは、場合により同一の地理的カバレッジにより、周波数スペクトルの異なる部分のキャリアを用いる無線アクセスノードによってサービス提供されるセル５０の各々により、複数の異なるセル５０にサービス提供することができる。その結果、特定の実施形態では、第１のセル５０及び第２のセル５０は同一の無線アクセスノードによってサービス提供され、またこれらのセル５０は、同一の、重なる、又は完全に別個の地理的な領域を網羅することができる。
【００３６】
コアネットワーク４０は、アクセスネットワーク３０から他の無線通信機器２０まで、或いは地上の通信線接続又は他のネットワークを経由してコアネットワーク４０に接続されている他の通信機器まで、無線通信機器２０によって通信される音声及び／又はデータをルーティングする。コアネットワーク４０は、このような通信のルーティングに関して適切な任意の規格又は技術に対応することができる。例えば、ＬＴＥに対応している無線通信機器２０の実施形態では、コアネットワーク４０はシステムアーキテクチャエボリューション（ＳＡＥ）コアネットワークを表すことがある。コアネットワーク４０はまた、長距離伝送通信の集約、ユーザー認証、呼制御、課金を目的とした使用量の計測、又は通信サービスの提供に関連する他の機能の役割を担う。しかしながら、一般的に、コアネットワーク４０は、無線通信機器２０に対する音声及び／又はデータ通信のルーティング並びに支援に適した任意のコンポーネントを含むことがある。
【００３７】
動作時には、無線通信システム１０の無線アクセスノード（実施例の実施形態では基地局３２及び低出力ノード３４など）は、これらの無線アクセスノードによってサービス提供されるセル５０の中で動作している無線通信機器２０に無線通信サービスを提供する。ある種のダウンリンク送信をセル間干渉から保護するため、これらの送信があるサブフレーム（本明細書では「候補サブフレーム」と呼ぶ）の中で確実に起こるように、これらのダウンリンク送信のタイミングが制御される。これらの候補サブフレームは、一又は複数のアグレッサセルが限られた送信を行う又は全く送信を行わない、ビクティムセル内の干渉が全体的に低減される、及び／又は他の好適な送信条件がビクティムセルに対して起こるようなサブフレームを表す。例えば、特定の実施形態では、候補サブフレームは、アグレッサセルがＭＢＳＦＮ  ＡＢＳサブフレームを送信するように構成されている、これらのサブフレーム、或いはこれらのサブフレームの特定のサブセットを表すことがある。特定の実施形態では、これらの候補サブフレームは、アグレッサセル内の基地局３２ａによる送信が何らかの方法によって制限されるサブフレーム（例えば、ＡＢＳ構成の下でＡＢＳサブフレームとして構成されるサブフレーム）、低出力ノード３４ａ又はアクセスネットワーク３０が干渉に敏感なある種の又はすべての動作に対して受け入れ可能であるように指定されているサブフレーム（例えば、無線通信機器２０ａに対して構成される制限付き測定パターンによって特定されるサブフレーム）、又はこれら２つの何らかの組み合わせを表すことがある。代替的に、幾つかの実施形態では、候補サブフレームは、アグレッサセル内での送信及び／又は無線通信機器２０の受信機の種類に関連する強い干渉に対処する無線通信機器２０の能力（例えば、ある種の干渉に対処する又はこれを軽減する能力の目安）に依存することがある。さらに一般的に、候補サブフレームは、当該のサブフレームの間にアグレッサセル内で送信を行う任意の好適な方法に関連する候補条件を満たす、任意のサブフレームを表すことがある。
【００３８】
無線通信機器２０によって送信されるアップリンク送信のエラー訂正を促進するため、アクセスネットワーク３０の無線アクセスノードは、無線通信機器２０によって行われたアップリンク送信の受信の成功又は失敗を示すフィードバック情報を無線通信機器２０に送信する。無線通信機器１０の特定の実施形態では、無線通信システム１０は複数の種類のフィードバックスキームに対応することができる。無線通信システム１０の個々の要素（例えば、個々の無線アクセスノード及び無線通信機器２０）が対応しているスキームは変化することがあり、無線通信システム１０のすべての要素が、無線通信システム１０が全体として対応しているすべてのフィードバックスキームに対応するわけではない。
【００３９】
特定の実施形態では、一又は複数の無線通信機器２０は、無線アクセスノード（基地局３２及び低出力ノード３４など）が、アップリンク送信のタイミングとアップリンク送信が成功裏に受信されたかどうかを示すフィードバックを提供する応答ダウンリンク送信のタイミングとの間の固定されたタイミングの関係に従う、一又は複数の異なる型の「同期」フィードバックスキームに対応することができる。例えば、実施例の同期フィードバックスキームは、無線アクセスノードに対して、当該の無線通信機器２０がアップリンク送信を行うようにスケジュールされた時点の４サブフレーム後に、アップリンク送信に関するフィードバック情報を送信するように要求することがある。
【００４０】
特定の実施形態では、無線アクセスノードが、フィードバック情報送信のタイミングに関して、対応するアップリンク送信のタイミングと比較して、柔軟性を高めた場合には、一又は複数の無線通信機器２０は付加的に、一又は複数の異なる型の「非同期」フィードバックスキームに対応することができる。例えば、無線通信機器１０の特定の実施形態は、無線アクセスノードは、アップリンク送信発生後はいつでも、アップリンク送信に関するフィードバック情報を送信することができる、実施例の非同期フィードバックスキームを実装してもよい。特定の実施形態では、非同期フィードバックスキームは依然として、アップリンク送信とこれに対応するダウンリンクフィードバック送信との間のタイミングの値に最小及び／又は最大の制限を課すことがあるが、その制限を満たすダウンリンク送信に対して適切な時間を無線アクセスノードが決定できるようする。フィードバック及び／又は再送信のタイミングは、非同期フィードバックスキームの下では何らかの方法で制約されることがあるが、最初のデータ送信と応答フィードバック送信及び／又はデータ再送信との間のサブフレームの正確な数は、非同期型のフィードバックスキームを使用する場合には固定されない。
【００４１】
その結果、同期型のフィードバックスキームによって要求されるタイミング制約により、ダウンリンク送信が候補サブフレームでないサブフレームで行われるように強いられる状況下で非同期型のフィードバックスキームを利用する場合には、ビクティムセル内での無線アクセスノードは、フィードバック情報のダウンリンク送信を候補サブフレームに合わせることができる。したがって、非同期型のフィードバックを選択的に利用することにより、無線通信機器１０は、そうでない場合には同期型のフィードバックで保護することができないダウンリンク送信を保護することができる。
【００４２】
上記で説明したように、無線通信機器１０の様々な要素は、それらの要素が送受信するフィードバックの型を適合して、フィードバック情報のセル間干渉からの保護を改善することができる。したがって、無線通信機器２０、無線アクセスノード（例えば、基地局３２及び低出力ノード３４）、又はその両方は、使用に適した型のフィードバックスキームを選択するように構成されてもよい。特定の実施形態では、どの型のフィードバックスキームを使用するかの決定は、当該無線通信機器２０が受ける干渉に関連する干渉条件に基づいていることがある。この干渉条件は何らかの形で、無線通信機器２０が受ける実際の干渉、或いは無線通信機器２０が受けると（例えば、無線通信機器２０がサービス提供しているセルの特性、潜在的なアグレッサセルの動作に基づいて）推測又は予測される干渉に関連することがある。干渉条件を利用する幾つかの実施形態では、干渉条件及び候補条件は、個々の候補サブフレームを識別する条件がフィードバックの型の間での選択に関する基準として使用される条件ともなるように、同一の条件を表すことがある。
【００４３】
１つの実施例として、無線通信システム１０の特定の実施形態では、非同期型のフィードバックスキームは、低出力ノードによってサービス提供される無線通信機器２０と共に使用される。その結果、このような実施形態では、干渉条件は、サービス提供している無線アクセスノードに対する機器の種類、当該無線通信機器２０にサービス提供している無線アクセスノードの最大送信出力が閾値を超えているかどうか、当該無線通信機器２０が制限付き測定パターンと共に構成されているかどうか、当該無線通信機器２０がアクセスネットワーク３０から干渉支援データを受信したかどうか、或いはサービス提供しているノードが「低出力」ノードであることを示す他の任意の要因に関連することがある。別の実施例として、無線通信システム１０の特定の実施形態では、非同期型のフィードバックは、サービングセルの信号強度が十分に減弱されているサービングセル内の領域で動作している無線通信機器２０と共に使用されている。その結果、このような実施形態では、干渉条件は、当該無線通信機器２０がセルレンジエクスパンション（ＣＲＥ）ゾーン内、或いはサービングセルの信号強度が十分に減弱されていることが既知又は減弱されるよう決定されているサービングセルの別の部分で動作しているかどうかに関連することがある。
【００４４】
別の実施例では、無線通信システム１０の特定の実施形態では、ビクティムセルがある時分割二重通信（ＴＤＤ）構成を使用している場合、フィードバック送信をアグレッサセル内の候補サブフレームに合わせることがより困難になることがあるため、非同期フィードバックスキームがある種のＴＤＤ  ＤＬ／ＵＬ構成と共に使用されることがある。その結果、このような実施形態では、干渉条件は、ビクティムセル内で使用されるＴＤＤ  ＤＬ／ＵＬ構成に関連することがある。例えば、ＬＴＥを実装する特定の実施形態では、非同期フィードバックスキームは、例えば、ＬＴＥ  ＴＤＤ  ＤＬ／ＵＬ構成＃０を有するセル構成で動作している無線通信機器２０と共に使用されることがあり、一方、同期フィードバックスキームは、例えば、ＬＴＥ  ＴＤＤ  ＤＬ／ＵＬ構成＃１を有するセル構成で動作している無線通信機器２０と共に使用されることがある。
【００４５】
さらに別の実施例として、無線通信機器２０の特定の実施形態では、フィードバックスキームの非同期型と同期型との間の選択は、アグレッサセルによって使用される送信パターンに基づいて行われることがある。その結果、このような実施形態では、干渉条件は、一又は複数の潜在的アグレッサセルによって使用される送信パターンに関連することがある。
【００４６】
さらに別の実施例として、無線通信システム１０の特定の実施形態では、非同期型のフィードバックスキームは、永続的な又は半永続的なリソース上で送信するようにスケジュールされる無線通信機器２０と共に使用されることがある。その結果、このような実施形態では、干渉条件は、サービングセルが当該無線通信機器２０に対して永続的な又は半永続的なスケジューリングを利用するかどうかに関連することがある。
【００４７】
さらに別の実施例として、無線通信機器２０は、無線通信機器２０によって測定された実際の干渉の量、サービングセル及び／又は一又は複数のアグレッサセルの信号強度、或いはサービングセル及び／又は一又は複数のアグレッサセルの信号品質に基づいて非同期型のフィードバックスキームを使用してもよい。その結果、このような実施形態では、干渉条件は、干渉測定値、信号強度測定値、及び／又は無線通信機器２０によって実施されるチャネル品質評価に関連することがある。
【００４８】
さらに別の実施例で、干渉条件は、セル間干渉を軽減する当該無線通信機器２０の機能、或いは当該無線通信機器２０によって現在使用されている特定の軽減技術に関連することがある。このような実施形態では、同期型のフィードバックスキームは、当該無線通信機器２０が第１の軽減技術を適用しているときに選択されることがあり、当該無線通信機器２０が第２の軽減技術を適用しているときには非同期型のフィードバックスキームが適用されることがある。
【００４９】
さらに別の実施例で、干渉条件は、当該無線通信機器２０及び／又はこれにサービスを提供している無線アクセスノードが同期型及び非同期型フィードバックスキームのうちの一方又は両方に対応する機能、或いはフィードバックスキームを同期型と非同期型との間で適応的に切り換える機能；フィードバック情報を送信するため、サービスを提供している無線アクセスノードによって使用される出力レベル（例えば、フィードバックチャネルの出力レベルが、基準出力レベルから閾値量以上異なっているかどうか）及び／又は他の任意の好適な条件又は条件の組み合わせ（上述の条件のいずれかを含む）、に関連することがある。一般的に、フィードバックスキームの同期型と非同期型との間での選択は、任意の好適な要因に基づいて行われることがある。
【００５０】
上述のように、どちらの型のフィードバックスキームを使用するかの決定は、無線通信機器２０によって、これにサービスを提供している無線アクセスノードによって、或いは両方の機器によって行われることがある。決定は一方の機器で行われてから他方に（黙示的に又は明示的に）伝達されてもよく、或いは両方の機器が同一の検討事項に基づいて独立に決定を行ってもよい。無線通信機器２０が同期又は非同期フィードバックを使用するかどうかの決定の役割を担う実施形態では、無線通信機器２０は自律的に又は所定の規則に従って決定を行い、次に同期又は非同期フィードバックが使用されるという指示をサービス提供している無線アクセスノードに伝達してもよい。
【００５１】
決定を促進するため、無線通信機器２０及びサービス提供している無線通信ノードのうちの一方又は両方は、他方の機器に対して、送信機器が同期型及び非同期型フィードバックスキームのうちの一方又は両方に対応する機能、或いはフィードバックスキームを同期型と非同期型との間で適応的に切り換える機能を示す機能情報を送信することがある。幾つかの実施形態では、同期又は非同期フィードバックを使用するかどうかの決定は、この機能情報に基づいてもよい。加えて、サービス提供している無線アクセスノードは、このような情報を他の無線アクセスノードに転送することがある。例えば、サービス提供している無線アクセスノードは、ハンドオーバが起こるときには、無線通信機器２０及び／又はサービス提供している無線通信ノードの機能情報を隣接する無線アクセスノードに転送することがある。同様に、無線通信機器２０又はサービス提供している無線通信ノードはまた、機能情報をアクセスネットワーク３０の他の要素（例えば、拡張されたサービス提供移動体位置特定センター又は他の種類の位置特定ノード）に送信してもよい。
【００５２】
加えて、特定の実施形態では、報告された機能情報は、報告している機器がどの型のフィードバックスキームに対応しているかという基本的な指示を超える付加的な情報を含むことがある。特定の実施形態では、機能情報は、報告している機器が特定の機能に対応するシナリオを特定することがある。例えば、無線通信機器２０は、制限付き測定パターンの使用時にのみ、或いは異種ネットワークでの動作時にのみ、或いは特定のＴＤＤ構成の使用時にのみ、無線通信機器２０が特定の機能に対応していることを示す機能情報を報告することがある。機能情報はまた、事前に定義した規則に基づいて、黙示的なシグナリングによって、明示的なシグナリングによって、或いはこれらの組み合わせによって、無線通信機器２０がそのスキームをダウンリンクフィードバックに適合させるかどうかの決定を行えるかどうかを示すこともある。
【００５３】
同期又は非同期フィードバックが使用されるかどうかに関する決定が行われた後、当該無線通信機器２０及び／又はこれにサービスを提供している無線アクセスノードはそれら自体の構成を行って、選択されたフィードバックスキームを使用するようにしてもよい。例えば、非同期フィードバックを使用するという決定が（無線通信機器２０又はこれにサービスを提供している無線アクセスノードによって）行われる場合、当該無線通信機器２０はそれ自体の構成を行って、フィードバック情報が送られる性格なサブフレームを知ることなく、アップリンク送信に対するフィードバックを受信するようにしてもよい。これは、受信したフィードバック情報に関連するアップリンク送信を特定するため、ＨＡＲＱプロセスナンバ又は他の何らかの情報を使用することを含むことがある。
【００５４】
加えて、対象となっている無線通信機器２０及び／又はこれにサービスを提供している無線アクセスノードは、フィードバックの決定に基づいてその動作の他の側面を構成することがある。例えば、サービス提供している無線アクセスノードは、決定に基づいてアップリンク又はダウンリンク送信をスケジュールすること、アップリンクスケジューリンググラントを送信すること、アグレッサノードを構成する（例えば、アグレッサノードに対してＡＢＳパターンを設定する或いはアグレッサノードがＭＢＳＦＮ  ＡＢＳを使用することを要求する）ように試みること、当該無線通信機器２０に対して不連続受信（ＤＲＸ）又は不連続送信（ＤＴＸ）パラメータを調整すること、特定のチャネルに対して送信出力を設定すること、当該無線通信機器２０に対して制限付き測定パターンを構成すること、そのアップリンクチャネル評価手続きを適合すること、その無線リンク管理（ＲＬＭ）手続きを適合し、ダウンリンクデータ送信に対してそのフィードバック手続きを修正する（例えば、ダウンリンクＨＡＲＱ再送信を調整する）こと、及び／又はそうでない場合には、選択されたフィードバック型に従ってその動作を構成することがある。同様に、当該無線通信機器２０は、決定に基づいて、ＤＲＸ又はＤＴＸパラメータを調整すること、その省出力アルゴリズムを適合し、その測定値を修正する（例えば、その測定値のタイミングを変更する）こと、そのＲＬＭ手続き（例えば、ＲＬＭサンプリング）を適合すること、及び／又はそうでない場合には、選択されたフィードバック型に従ってその動作を構成することがある。
【００５５】
当該無線通信機器２０及びこれにサービスを提供している無線アクセスノードが、選択されたフィードバック型を使用するように構成されると、当該無線通信機器２０は、選択されたフィードバック型を使用してアップリンクデータ送信の実行を開始してもよい。そのサービス提供している無線アクセスノードは、選択されたフィードバック型に従うダウンリンクフィードバック送信で、これらのアップリンク送信に応答する。選択されたフィードバック型が同期の場合には、サービス提供している無線アクセスノードは、当該の同期型フィードバックに対して要求される決められた時間的制約に従って、ダウンリンクフィードバック送信を送信する。例えば、上述の実施例の同期フィードバックスキームを使用する場合、サービス提供している無線アクセスノードは、スケジュールされているアップリンクデータ送信から４サブフレーム後にダウンリンクフィードバック情報を送信する。
【００５６】
しかしながら、選択されたフィードバック型が非同期に場合には、サービス提供している無線アクセスノードは、アップリンク送信から決められた時間だけ経過した後にダウンリンクフィードバック情報を送信しないことがあり、代わりにアグレッサセルによる干渉から保護されているサブフレームの１つの間にフィードバック情報を送信する。例えば、サービス提供している無線アクセスノードは、送信されるようにスケジュールされているアップリンクデータ送信から特定の最小数のサブフレームの期間だけ待ち、その後、次の候補サブフレームの間にダウンリンクフィードバック情報を送信することがある。その結果、サービス提供している無線アクセスノードが同期フィードバックスキームに関連するタイミング要件を満たすように強いられている状況では、サービス提供している無線アクセスノードは、アグレッサセルによる干渉からダウンリンクフィードバック送信を保護することができる。
【００５７】
説明のため、無線通信機器２０が低出力ノード３４ａに接続の後、無線通信機器２０が同期又は非同期型のフィードバックを使用すべきかどうかの決定の役割を担っている実施例を図１Ａに示す。図解されている実施例では、無線通信機器２０ａはセル５０ｂに入った後のある時点に、低出力ノード３４ａに機能情報８０を送信する。無線通信機器２０ａは設定又は呼設定（例えば、ＲＲＣ接続、ベアラ、特定の種類のセッションの確定時）の間に、或いは他の任意の適切な時点に、機能情報８０を送信することができる。無線通信機器２０が既に無線通信機器２０によってサービス提供されていた場合、無線通信機器２０は、セル変更手続き（例えば、ハンドオーバ、マルチキャリア動作でのプライマリキャリアの変更、マルチキャリア動作でのＰセル変更、ＲＲＣ再確立、リダイレクションによるＲＲＣ接続の解放）の一環として低出力ノード３４ａに機能情報８０を送信することがある。代替的に、上述のように、低出力ノード３４ａは、以前から無線通信機器２０ａにサービス提供している別の無線アクセスノードから機能情報８０を受信してもよい。
【００５８】
機能情報８０は、無線通信機器２０ａが特定の型のフィードバックスキームに対応しているかどうか、及び／又は干渉保護を促進するため無線通信機器２０ａがフィードバックスキーム間で適応的に切り換えることができるかどうか、を低出力ノード３４ａに示すことがある。図解されている実施例では、無線通信機器２０ａが少なくとも１つの同期型フィードバック及び少なくとも１つの非同期型フィードバックに対応することができ、これらのフィードバック型の間で適応的に切り換えることができることが想定されている。したがって、低出力ノード３４ａは、無線通信機器２０ａが低出力ノード３４ａによるアップリンク送信に対して使用するフィードバックスキームの型を選択できることを、機能情報８０に基づいて決定してもよい。
【００５９】
図解されている実施例では、低出力ノード３４ａは、セル５０ｂに対して潜在的にアグレッサセルとなりうる或いは現時点でアグレッサセルであるセル５０ａ内の基地局３２ａによって使用される送信パターンに関する情報を提供する基地局３２ａから、連携情報を受信することがある。特定の実施形態では、連携情報８２はセル５０ａ内のＭＢＳＦＮ  ＡＢＳに対して構成される一又は複数のサブフレームを示すことがある。このような実施形態では、低出力ノード３４ａは、セル５０ａ内の基地局３２ａによる送信活動が低減される一又は複数の候補サブフレームを特定するため、連携情報を使用してもよい。低出力ノード３４ａは、連携情報８２或いは連携情報８２に基づいて生成された他の情報を無線通信機器２０ａに送信してもよい。例えば、図解されている実施例では、低出力ノード３４ａは、無線通信機器２０ａに送信する制限付き測定パターン８４を生成する。制限付き測定パターン８４は、候補サブフレームのすべて又は一部を特定することがある。
【００６０】
代替的に又は追加的に、低出力ノード３４ａは、基地局３２ａなどの潜在的なアグレッサセルに自ノードの連携情報を送信する役割を担って、基地局３２ａと連携された動作を促進してもよい。例えば、低出力ノード３４ａによってサービス提供されている閾値数又は閾値割合を超える無線通信機器２０が、フィードバックスキームを同期型と非同期型との間で適応的に切り換えることができる場合には、低出力ノード３４ａは基地局３２ａに、一又は複数のサブフレームをＭＢＳＦＮ  ＡＢＳとして構成した基地局３２ａによって低出力ノード３４がこの機能を利用できるようになることを要求する連携情報を送信することができる。或いは、低出力ノード３４ａは基地局３２ａに、そのような機能を有する低出力ノード３４ａによってサービス提供されている無線通信機器２０の数又は割合を示す連携情報を送信することができ、また、アグレッサセル内にその送信パターンを構成する場合には、基地局３２ａはこの係数を考慮してもよい。
【００６１】
図解している実施例では、無線通信機器２０ａは使用されるフィードバックスキームの型を選択する役割を担っている。より具体的には、図１Ａに図解されている実施例では、無線通信機器２０ａは、無線通信機器２０ａが低出力ノードによってサービス提供されているかどうかに基づいて、同期及び非同期フィードバックの間の選択を行う。上述のように、無線通信機器２０ａは、サービス提供している無線アクセスノード、送信出力の大きさ、又は他の好適な基準に関連する機器の種類に基づいて、低出力ノードによってサービス提供されていると決定することができる。図解されている実施例では、無線通信機器２０ａは、無線通信機器２０ａがサービス提供している無線アクセスノードから制限付き測定パターンを受信したかどうかに基づいて、無線通信機器２０ａが低出力ノード３４ａによってサービス提供されているかどうかを決定するように構成されている。したがって、無線通信機器２０ａは、制限付き測定パターン８４の受信に基づいて、低出力ノード３４ａが低出力ノードであると決定する。
【００６２】
サービス提供している無線アクセスノードが低出力ノードであるという決定に応答して、無線通信機器２０ａは、低出力ノード３４ａへのアップリンク送信に使用する非同期型のフィードバックスキームを選択する。無線通信機器２０ａは、非同期型のフィードバックスキームを受信するようにそれ自体を構成してもよい。無線通信機器２０ａはまた、非同期フィードバックの選択に応答して、その動作の別の態様（例えば、ＤＲＸ／ＤＴＸ設定）に適合してもよい。
【００６３】
無線通信機器２０ａがそれ自体を適切に構成したら、無線通信機器２０ａはアップリンクデータ送信を開始してもよい。特定の実施形態では、無線通信機器２０ａは低出力ノード３４ａにスケジューリング要求を送ることによって、アップリンク送信を開始する。スケジューリンググラントに応答して、低出力ノード３４ａはアップリンクデータの送信に対して無線通信機器２０ａをスケジュールし、無線通信機器２０ａがアップリンク送信に対して使用しうる送信リソースを示すスケジューリング情報（例えば、スケジューリンググラント）を無線通信機器２０ａに送信する。スケジューリング情報を受信した後、無線通信機器２０ａはアップリンクデータ送信を送信する。
【００６４】
無線通信機器２０ａがアップリンク送信を行うようにスケジュールされた後の適切な時点で、低出力ノード３４ａはスケジュールされたアップリンク送信を受信したかどうかを決定する。低出力ノード３４ａは次に、アップリンク送信が成功裏に受信されたかどうかを示すフィードバック情報を生成する。図解されている実施例では、無線通信機器２０ａ及び低出力ノード３４ａは非同期型のフィードバックスキームを使用しているため、低出力ノード３４ａは、スケジュールされたアップリンク送信から決められた数のサブフレーム期間が経過した後に、無線通信機器２０ａにフィードバック情報を送信する必要はない。その結果、低出力ノード３４ａは、アグレッサセルによる干渉を制限するように、ダウンリンクフィードバック送信のタイミングを調整するより高い柔軟性を有することができる。
【００６５】
特定の実施形態では、低出力ノード３４ａは候補サブフレーム（例えば、ＭＢＳＦＮ  ＡＢＳとして構成されたサブフレーム）を特定するため、アグレッサセル（ここでは、セル５０ａ）内で使用される送信パターンの知識を使用し、次に候補サブフレームの１つの間にダウンリンクフィードバック情報を無線通信機器２０に送信してもよい。例えば、低出力ノード３４ａは、無線通信機器２０ａがアップリンク送信を行うようにスケジュールされたサブフレームの直後の次の候補サブフレームでフィードバック情報を送信してもよく、或いは、スケジュールされたサブフレームの後に最小の時間だけ待ち、この最小の時間が経過した直後の候補サブフレームでフィードバック情報を送信してもよい。
【００６６】
無線通信機器２０ａはダウンリンクフィードバック送信を受信し、使用される特定のフィードバックスキームに従ってフィードバック情報に応答することがある。例えば、特定の実施形態では、低出力ノード３４ａがアップリンク送信を成功裏に受信しなかったことを、ダウンリンクフィードバック情報が示している場合には、無線通信機器２０ａはアップリンク送信を再送信することがある。
【００６７】
非同期型のフィードバックスキームは、ダウンリンクフィードバック情報の送信に関してより大きな柔軟性を低出力ノード３４ａにもたらすため、低出力ノード３４ａは同期型フィードバックスキームを使用して可能になる場合よりも好ましい干渉条件下で、ダウンリンクフィードバック送信を送信することができる。これにより、当該のダウンリンク送信の干渉を低減して信頼性を高め、過剰な再送信から生じるオーバーヘッドを低減することができる。したがって、無線通信システム１０のある実施形態は、数多くの動作上の利点を提供することができる。しかしながら、無線通信システム１０の特定の個々の実施形態は、このような利点の一部を提供する、全く提供しない、或いは全てを提供することがある。
【００６８】
図６は、ダウンリンク送信を保護するため非同期型フィードバックスキームがどうのように使用しうるかの実施例を示している。より具体的には、図６は、ＨＡＲＱフィードバック送信を候補サブフレームの組に一致させるため、無線通信機器２０及び無線アクセスノードが非同期ＨＡＲＱフィードバックを利用する実施例の実施形態を図解している。具体的には、この実施例の非同期フィードバックスキームの下では、無線アクセスノードは、対応するアップリンク送信がスケジュールされているサブフレームから少なくとも４サブフレーム後に発生する第１の候補サブフレーム内で、応答ダウンリンクフィードバック送信を送信するように構成されている。
【００６９】
この実施例の実施形態では、ダウンリンク送信に対して候補サブフレームの事前に定義した実行可能なサブセットは、図６で「ＭＢＳＦＮ構成」と記されたサブフレーム（これは、ＭＢＳＦＮ  ＡＢＳパターンを使用しうるアグレッサセル内のＭＢＳＦＮ構成可能なサブフレームである）を含む。ビクティムセル内で低干渉条件が必要又は望ましいサブフレームは「保護されるサブフレーム」と記されている。図６では、ダウンリンク送信が起こるサブフレームは「ダウンリンク制御」と記され、これらのダウンリンク送信を引き起こすバンドルされたアップリンク送信のためのサブフレームは「アップリンク送信」と記されている。（特定の実施形態では、候補サブフレームのサブセットのみがダウンリンク制御送信を保護するように使用され、そのような実施形態では、「ダウンリンク制御」と記されたサブフレームは「保護されるサブフレーム」と記されたサブフレームとは異なることがある）。
【００７０】
実施例の実施形態では、無線通信機器２０は（５，０）サブフレームの間に送信するように（１，０）サブフレーム内にスケジュールされている。（ここで、（ｕ，ｖ）はｖ番目の無線フレームのｕ番目のサブフレームを意味する）。図６では、アップリンク送信のサブフレームから延びる矢印は、低出力ノード３４ａが応答ダウンリンクフィードバック送信を送信することができる最も早いサブフレーム（例えば、４サブフレーム後のサブフレーム）を示している。しかしながら、図解されている実施例では、サービス提供している無線アクセスノードは次の候補サブフレームまで待ってからダウンリンクフィードバック送信を送信する。したがって、サービス提供している無線アクセスノードは、フィードバック情報（例えば、ＡＣＫ／ＮＡＫ）を（１，１）サブフレームで送信する。プロセスはその後、（５，１）、（５，２）、及び（５，３）サブフレームで起こるアップリンクデータ送信、並びに（１，２）、（１，３）、及び（１，４）（図示せず）サブフレームで起こる応答ダウンリンクフィードバック送信を繰り返す。その結果、図解されている実施例では、すべてのダウンリンクフィードバック送信は候補サブフレーム（この実施例では、ＭＢＳＦＮ  ＡＢＳに対して構成されるサブフレーム）の間に起こる。したがって、図４と図６の比較によって示されているように、非同期型フィードバックスキームの使用により、フィードバックスキームが特定の同期型でない状況でもダウンリンクフィードバック送信は保護されうる。
【００７１】
図７は、無線通信機器２０が同期型フィードバックスキームと非同期型フィードバックスキームとの間で適応的に選択している動作の実施例を図解するフロー図である。より具体的には、図７は、無線通信機器２０が同期又は非同期のフィードバックスキームのいずれを使用すべきかの決定を担っている実施例の実施形態を図解している。図７に図解されているステップは、必要に応じて、結合、修正、又は削除されることがある。実施例の動作に付加的なステップが追加されることもある。さらに、説明されているステップは、任意の好適な順序で実施されてもよい。
【００７２】
図７の動作は、ステップ７００で、干渉条件に関する情報を取得する無線通信機器２０（この実施例では、図１Ａの無線通信機器２０ａ）によって開始される。干渉条件は無線通信機器２０ａが受ける干渉に関連する。無線通信機器２０ａは、無線通信システム１０の別の要素（例えば、無線通信機器２０ａにサービス提供している無線アクセスノード）からの、或いは無線通信機器２０ａ自体の測定、検出、計算、及び／又は他の動作の結果として、関連情報を取得することがある。したがって、特定の実施形態では、関連情報の取得は別の機器（例えば、低出力ノード３４ａ）からの情報の受信、或いは無線通信機器２０ａによって局所的に保存又は生成された情報へのアクセスを含むことがある。
【００７３】
特定の実施形態では、無線通信機器２０ａは、一又は複数の型のフィードバックスキームについてその機能に関する情報を、サービス提供している無線アクセスノード（この実施例では、低出力ノード３４ａ）に提供することがある。したがって、ステップ７０２では、無線通信機器２０ａは機能情報を無線通信機器２０ａにサービス提供している無線アクセスノードに送信することができる。機能情報は、同期及び非同期型のフィードバックスキームの一方又は両方に対応する無線通信機器２０ａの機能、或いはフィードバックスキームを同期型と非同期型との間で適応的に切り換える機能を示す。
【００７４】
特定の実施形態では、低出力ノード３４ａは、無線通信機器２０ａが適切な型のフィードバックスキームを選択する際に使用するために、選択されたフィードバックスキームを使用するように無線通信機器２０ａ自体を構成するために、及び／又はフィードバックスキームの選択によって影響されうる無線通信機器２０ａの動作の他の態様を構成するために、無線通信機器２０ａに情報を送信することがある。例えば、低出力ノード３４ａは、無線通信機器２０ａが非同期又は同期型のフィードバックスキームを選択すべき条件を示す情報を送信することがある。図解している実施例では、低出力ノード３４ａは無線通信機器２０ａに、一又は複数のアグレッサセルに関して好ましい干渉条件が起こるべきサブフレームを示す制限付き測定パターンを送信する。このようにして、無線通信機器２０は、ステップ７０４で、低出力ノード３４ａから制限付き測定パターンを受信する。上述のように、図７の任意のステップは結合されてもよく、特定の実施形態では干渉条件は、無線通信機器２０ａが制限付き測定パターンと共に構成されているかどうかに関連することがあり、その結果、制限付き測定パターンは干渉条件に関する情報を表すことがある。したがって、このような実施形態では、ステップ７００及び７０４は制限付き測定パターンの受信を含む単一のステップを表すことがある。
【００７５】
ステップ７０６で、無線通信機器２０ａは、取得した干渉条件に関する情報に基づいて、無線通信機器に対して同期フィードバック型及び非同期フィードバック型のうちの１つを選択する。図解している実施例では、低出力ノード３４ａは同一の検討事項に基づいて低出力ノード３４ａ上での決定を複製し、無線通信機器２０ａ及び低出力ノード３４は同一の型のフィードバックスキームを選択することが想定されている。しかしながら、代替的な実施形態では、無線通信機器２０ａは追加的に、どのような型のフィードバックスキーム無線通信機器２０ａが選択されたかを示す指示を低出力ノード３４ａへ送信する役割を担うことがある。
【００７６】
選択された型のフィードバックスキームに基づいて任意の適切な構成を行った後、無線通信機器２０ａは選択されたフィードバックスキームに従ってアップリンク送信を開始してもよい。したがって、ステップ７０８で、無線通信機器２０ａはアップリンクデータ送信を送信する。低出力ノード３４は、低出力ノード３４ａがアップリンク送信を成功裏に受信したかどうかを示すフィードバック情報（例えば、ＨＡＲＱ  ＡＣＫ／ＮＡＫ）を伝達するダウンリンクフィードバック送信を送信することによって、アップリンク送信に応答する。その結果、無線通信機器２０ａは、ステップ７１０で、ダウンリンクフィードバック送信を受信する。アップリンク送信に対するダウンリンクフィードバック送信のタイミングは、選択されたフィードバックの型に依存する。無線通信機器２０ａは次に、選択されたフィードバックスキームに従い必要に応じてフィードバック情報に応答してもよい。例えば、特定の実施形態では、低出力ノード３４ａがアップリンク送信を成功裏に受信しなかったことを、受信したフィードバック情報が示している場合には、無線通信機器２０ａはアップリンク送信を再送信することがある。無線通信機器２０ａからのフィードバック情報に対する任意の適切な応答の後に、アップリンク送信の実行に関する無線通信機器２０ａの動作は図７に示すように終了する。
【００７７】
図８Ａ、８Ｂは、アクセスネットワークの無線アクセスノードが同期型フィードバックスキームと非同期型フィードバックスキームとの間で適応的に選択している動作の実施例を図解するフロー図である。より具体的には、図８Ａ、８Ｂは、同期又は非同期フィードバックスキームが、無線アクセスノード（ここでは、無線通信機器２０ａ）によってサービス提供されている特定の無線通信機器２０に対して使用されるべきかどうかの決定を、無線アクセスノード（特に、図１Ａの低出力ノード３４ａ）が担っている実施例の実施形態を図解している。図８Ａ、８Ｂに図解されているステップは、必要に応じて、結合、修正、又は削除されることがある。実施例の動作に付加的なステップが追加されることもある。さらに、説明されているステップは、任意の好適な順序で実施されてもよい。
【００７８】
図８Ａ、８Ｂでの動作は、ステップ８００で、干渉条件に関する情報を取得する低出力ノード３４ａによって開始される。干渉条件は、低出力ノード３４ａによってサービス提供されている一又は複数の無線通信機器２０、或いは低出力ノード３４ａによってサービス提供されている一又は複数のセル５０が受ける干渉に関連する。低出力ノード３４ａは、無線通信システム１０の別の要素（例えば、潜在的なアグレッサセル、無線通信機器２０ａ）から、或いは無線通信システム自体の測定、検出、計算、及び／又は他の動作の結果として、関連情報を取得することがある。したがって、特定の実施形態では、関連情報の取得は別の機器からの情報の受信、或いは低出力ノード３４ａによって局所的に保存又は生成された情報へのアクセスを含むことがある。
【００７９】
特定の実施形態では、無線通信機器２０は機能情報をサービス提供している無線アクセスノードに送信してもよい。上述のように、この機能情報は、無線通信機器２０ａが同期及び非同期型のフィードバックスキームの一方又は両方に対応しているかどうか、或いは無線通信機器２０ａがフィードバックスキームを同期型と非同期型との間で適応的に切り換えることができるかどうかを示すことがある。図解されている実施例では、低出力ノード３４ａは、ステップ８０２で、無線通信機器２０ａが同期及び非同期型のフィードバックスキームの両方に対応可能であり、同期フィードバックスキームと非同期フィードバックスキームとの間で適応的に切り換え可能であることを、暗示的又は明示的に示す無線通信機器２０ａからの機能情報を受信する。特定の実施形態では、低出力ノード３４ａは、この機能情報を無線通信機器２０ａから受信すると、あるいは適切な時間が経過した後に（例えば、無線通信機器２０がターゲットセルにハンドオーバされたときに）、この機能情報を別のノード（例えば、潜在的なアグレッサノード又はハンドオーバターゲットノード）に転送してもよい。
【００８０】
特定の実施形態では、低出力ノード３４ａは、潜在的なアグレッサセルにサービス提供している無線アクセスノード（ここでは、セル５０ａにサービス提供している基地局３２ａ）から、送信バターンを示す或いはアグレッサノードの動作の他の態様を記述する連携情報を受信することがあり、フィードバック型の選択に、或いはそうでない場合には潜在的なアグレッサセルによって引き起こされるセル間干渉の低減に、この情報を使用してもよい。例えば、実施例の実施形態では、低出力ノード３４ａは、ステップ８０４で、潜在的なアグレッサセルのＭＢＳＦＮ  ＡＢＳ構成を示す連携情報を受信する。上述のように、図８Ａ，８Ｂの任意のステップは結合されることがあり、特定の実施形態では、フィードバック型を選択するために低出力ノード３４ａによって使用される干渉条件は、無線通信機器２０ａのフィードバック機能及び／又は潜在的なアグレッサセルの構成に関連することがある。したがって、低出力ノード３４によって受信される連携情報及び機能情報の一方又は両方は干渉条件に関する情報を表すことがある。したがって、このような実施形態では、ステップ８００及び８０２は無線通信機器２０ａからの機能情報の受信を含む単一のステップを表すことがある。同様に、ステップ８００及び８０４は基地局３２ａからの連携情報の受信を含む単一のステップを表すことがある。
【００８１】
特定の実施形態では、無線アクセスノードは、当該無線通信機器２０ａが選択されたフィードバックスキームを使用するように構成するために、及び／又はフィードバックスキームの選択によって影響されうる無線通信機器２０ａの動作の他の態様を構成するために、無線通信機器２０ａに情報を送信することがある。例えば、図解している実施例では、ステップ８０６で、低出力ノード３４ａは無線通信機器２０ａに、一又は複数のアグレッサセルに関して好ましい干渉条件が起こるべきサブフレームを示す制限付き測定パターンを送信する。
【００８２】
ステップ８０８で、低出力ノード３４ａは、干渉条件に関する取得した情報に基づいて、無線通信機器に対して同期型フィードバック及び非同期型フィードバックのうちの１つを選択する。低出力ノード３４ａは次に、ステップ８１０で、選択されたフィードバック型の指示を無線通信機器２０ａに送信する。
【００８３】
特定の実施形態では、無線アクセスノードはまた、アグレッサノードがその送信をビクティムセルの送信と連携するように要求するため、潜在的なアグレッサセルにサービス提供している別の無線アクセスノードに連携情報を送信してもよい。連携情報は、ビクティムノードによってサービス提供されている一又は複数の無線通信機器２０のフィードバック機能、一又は複数の無線通信機器２０から選択されたフィードバックの型、或いはダウンリンクフィードバック送信を送信するようにビクティムノードか構成される方法の他の何らかの態様、を示すことがある。ビクティムノードは次に、受信した連携情報に基づいてその送信を構成してもよい。例えば、連携情報が、ビクティムノードによってサービス提供されているある数の又はある割合の無線通信機器が非同期型フィードバックスキームを使用できることを示している場合には、ダウンリンクフィードバック送信を保護するためビクティムノードがこれらの非同期機能を利用できるように、アグレッサノードはアグレッサセル内の一又は複数のサブフレームをＭＢＳＦＮ  ＡＢＳとして構成してもよい。図８Ａ、８Ｂではこれをステップ８１２に示す。
【００８４】
選択された型のフィードバックスキームに基づいて任意の適切な構成を行った後、無線通信機器２０ａは選択されたフィードバックスキームに従ってアップリンク送信を開始してもよい。したがって、ステップ８０４で、低出力ノード３４ａは無線通信機器２０ａへのアップリンクデータ送信をスケジュールする。低出力ノード３４ａがスケジュールされたアップリンク送信を受信すると、或いはアップリンク送信が受信されるようにスケジュールされたサブフレームが過ぎると、低出力ノード３４ａは、図８Ａ、８Ｂのステップ８１６に示すように、低出力ノード３４ａがアップリンク送信を成功裏に受信したかどうかを示すフィードバック情報を生成する。
【００８５】
低出力ノード３４は次に、ステップ８１８で、選択されたフィードバック型に従って、無線通信機器２０ａにダウンリンクフィードバック送信を送信する。ダウンリンクフィードバック送信は生成されたフィードバック情報を伝達する。アップリンク送信に対するダウンリンクフィードバック送信のタイミングは、選択されたフィードバックの型に依存する。図解されている実施例では、低出力ノード３４ａが非同期型のフィードバックを選択したと想定している。その結果、低出力ノード３４ａは、ダウンリンクフィードバック送信がいつ行われるかに関して何らかの柔軟性を有することがある。したがって、低出力ノード３４ａは、アグレッサセルによる干渉から保護されているサブフレーム（例えば、アグレッサセル内にＭＳＢＦＮ  ＡＢＳとして構成されるサブフレーム）の間にダウンリンクサブフレームを送信することができる。無線通信機器２０ａは次に、選択されたフィードバックスキームに従い必要に応じてフィードバック情報に応答してもよい。例えば、特定の実施形態では、低出力ノード３４ａがアップリンク送信を成功裏に受信しなかったことを、受信したフィードバック情報が示している場合には、無線通信機器２０ａはアップリンク送信を再送信することがある。無線通信機器２０ａからのフィードバック情報に対する任意の適切な応答の後に、アップリンク送信の実行に関する低出力ノード３４ａの動作は図８Ａ、８Ｂに示すように終了する。
【００８６】
図８Ａ、８Ｂは、単純化するため、低出力ノード３４ａが単一の無線通信機器２０に対してフィードバックの型を選択する実施例を図解しているが、低出力ノード３４ａは、特定の実施形態では、任意の時点に複数の異なる無線通信機器２０にサービス提供を行うことがある。このような実施形態では、低出力ノード３４ａは、低出力ノード３４ａによってサービス提供されるすべての無線通信機器２０に対して使用する単一のフィードバック型を（例えば、個々の無線通信機器２０に対して一意的でない干渉条件に基づいて、例えば、低出力ノード３４ａが「低出力」ノードであるという事実に基づいて）選択すること、或いは低出力ノード３４ａによってサービス提供される他の無線通信機器２０に対して選択プロセスを反復することがある。
【００８７】
例えば、低出力ノード３４ａは干渉条件に関して（例えば、特定のフィードバック型又は特定の干渉軽減技術を使用する機器の機能に関して、或いは無線通信機器２０の間で異なりうる他の何らかの干渉条件に関して）、複数の無線通信機器２０の各々に対して情報を取得してもよい。このような実施形態では、低出力ノード３４ａは、干渉条件が満たされる第１の無線通信機器群２０に対して一又は複数の非同期フィードバック型を選択してもよく、また干渉条件が満たされない第２の無線通信機器群に対して一又は複数の同期フィードバック型を選択してもよい。低出力ノード３４ａは次に、選択された非同期フィードバック型に従って第１の無線通信機器群２０にダウンリンクフィードバック送信を送信し、選択された同期フィードバック型に従って第２の無線通信機器群２０にフィードバック情報を送信してもよい。その結果、このような実施形態では、低出力ノード３４ａは必要に応じて異なる無線通信機器２０に対して使用されるフィードバック型を有利に変えることができる。
【００８８】
図９は、サービス提供している無線アクセスノードに対して行われたアップリンクデータ送信と共に使用するためのフィードバック型を選択するように、或いはサービス提供している無線アクセスノードからのシグナリングに応答して使用されるフィードバック型に適合するように構成される無線通信機器２０の特定の実施形態のより詳細な内容を図解するブロック図である。図９に示したように、無線通信機器２０の実施例の実施形態は、機器プロセッサ９０２、機器メモリ９０４、アンテナ９０６、トランスミッタ９０８、及び受信機９１０を含む。
【００８９】
機器プロセッサ９０２は、専用マイクロプロセッサ、汎用コンピュータ、又は電子情報を処理することができる他の形態の電子回路など、任意の形態の処理コンポーネントを表す又は含むことがある。機器プロセッサ９０２の実施例は、フィールドプログラマブルゲートアレイ（ＦＰＧＡ）、プログラマブルマイクロプロセッサ、デジタル信号プロセッサ（ＤＳＰ）、特定用途向け集積回路（ＡＳＩＣ）、及び他の任意の好適な専用又は汎用プロセッサを含む。図９は、単一の機器プロセッサ９０２を含む無線通信機器２０の実施形態を簡略化して描いているが、無線通信機器２０は任意の適切な方法で同時使用するように構成された任意の数の機器プロセッサ９０２を含んでもよい。
【００９０】
機器メモリ９０４は、選択されたフィードバックスキームの表示、無線通信機器２０によって使用される制限付き測定パターン、ＤＲＸ／ＤＴＸ設定など、無線通信機器２０によって得られた構成情報、又は無線通信装置２０によって使用される他の任意の構成情報を保存する。機器メモリ９０４はまた、無線通信機器２０に対する機能情報を保存してもよい。加えて、機器メモリ９０４はまた、機器プロセッサ９０２に対するプロセッサ命令、コーディングアルゴリズム、送信パラメータ、及び／又は動作の間に無線通信機器２０によって利用される他の任意のデータを保存する。機器メモリ９０４は、ランダムアクセスメモリ（ＲＡＭ）、リードオンリーメモリ（ＲＯＭ）、磁気記憶、光記憶、又は他の好適な種類のデータ記憶コンポーネントなど、データの保存に適した揮発性又は不揮発性のローカル機器又はリモート機器の、任意の集積及び配置を含んでもよい。図９に単一要素として示したが、機器メモリ９０４は、無線通信機器２０の内部又は離れた場所に存在する一又は複数の物理コンポーネントを含んでもよい。
【００９１】
アンテナ９０６は、無線信号を送受信することができる任意の好適な導体を表す。送信機９０８はアンテナ９０６を介して高周波（ＲＦ）信号を送信し、受信機９１０はアクセスネットワーク３０によって送信されるある種のＲＦ信号をアンテナ９０６から受信する。図９の実施例の実施形態は、ある数と構成のアンテナ、受信機、及び送信機を含むが、無線通信機器２０の代替的な実施形態は、任意の好適な数のこれらのコンポーネントを含んでもよい。加えて、送信機９０８、受信機９１０、及び／又はアンテナ９０６は、部分的に又は全体的に同一の物理コンポーネントを表すことがある。例えば、無線通信機器２０の特定の実施形態は、送信機９０８と受信機９１０の両方を表す送受信機を含む。
【００９２】
図１０は、無線アクセスノード１０００によってサービス提供されている無線通信機器２０へのダウンリンクフィードバック送信を行う際に、使用するフィードバック型を選択することがある無線アクセスノード１０００の特定の実施形態の内容をより詳細に図解するブロック図である。実施例の無線アクセスノード１０００の特定の実施形態は、例えば、図８Ａ、８Ｂに関して上述のセル間干渉からダウンリンクフィードバック送信の保護を促進するため、フィードバック型の選択を行うことができる。図１０に示したように、ネットワークノード１０００の実施例の実施形態は、ノードプロセッサ１００２、ノードメモリ１００４、通信インターフェース１００６、アンテナ１００８、送信機１０１０、及び受信機１０１２を含む。
【００９３】
ノードプロセッサ１００２は、専用マイクロプロセッサ、汎用コンピュータ、又は電子情報を処理することができる他の形態の電子回路など、任意の形態の処理コンポーネントを表す又は含むことがある。ノードプロセッサ１００２の実施例は、フィールドプログラマブルゲートアレイ（ＦＰＧＡ）、プログラマブルマイクロプロセッサ、デジタル信号プロセッサ（ＤＳＰ）、特定用途向け集積回路（ＡＳＩＣ）、及び他の任意の好適な専用又は汎用プロセッサを含む。図１０は簡略化するように描かれているが、単一のノードプロセッサ１００２、ネットワークノード１０００を含むネットワークノード１０００の実施形態は、任意の適切な方法で同時使用するように構成された任意の数のノードプロセッサ１００２を含んでもよい。
【００９４】
ノードメモリ１００４は、選択されたフィードバックスキームの表示、他の無線アクセスノードから受信した連携情報、サービス提供された無線通信機器２０に対するＤＲＸ／ＤＴＸ設定など、無線アクセスノード１０００によって得られた構成情報、又は無線アクセスノード１０００によって使用された他の任意の構成情報を保存する。ノードメモリ１００４はまた、ノードプロセッサ１００２に対するプロセッサ命令、コーディングアルゴリズム、送信パラメータ、及び／又は動作の間に無線アクセスノード１０００によって利用される他の任意のデータを保存してもよい。ノードメモリ１００４は、ランダムアクセスメモリ（ＲＡＭ）、リードオンリーメモリ（ＲＯＭ）、磁気記憶、光記憶、又は他の好適な種類のデータ記憶コンポーネントなど、データの保存に適した揮発性又は不揮発性のローカル機器又はリモート機器の、任意の集積及び配置を含んでもよい。図１０に単一要素として示したが、ノードメモリ１００４は、無線アクセスノード１０００の内部又は離れた場所に存在する一又は複数の物理コンポーネントを含んでもよい。
【００９５】
通信インターフェース１００６は、無線アクセスノード１０００と他の無線アクセスノード及び／又はアクセスネットワーク３０並びにコアネットワーク４０の他の要素との通信を可能にするのに適した電子回路及び他のコンポーネントを含む。例えば、無線アクセスノード１０００がアクセスネットワーク３０の他のネットワークノードと連携情報を交換する実施形態では、通信インターフェース１００６は、無線アクセスノード１０００とアクセスネットワーク３０の他のノードとの間のＸ２インターフェースを介して通信を行うことができる回路を表すことがある。
【００９６】
アンテナ１００８は、無線信号を送受信することができる任意の好適な導体を表す。送信機１０１０はアンテナ１００８を介して高周波（ＲＦ）信号を送信し、受信機１０１２は無線通信機器２０によって送信されるある種のＲＦ信号をアンテナ１００８から受信する。図１０の実施例の実施形態は、ある数と構成のアンテナ、受信機、及び送信機を含むが、無線アクセスノード１０００の代替的な実施形態は、任意の好適な数のこれらのコンポーネントを含んでもよい。加えて、送信機１０１０、受信機１０１２、及び／又はアンテナ１００８は、部分的に又は全体的に同一の物理コンポーネントを表すことがある。例えば、無線アクセスノード１０００の特定の実施形態は、送信機１０１０と受信機１０１２の両方を表す送受信機を含む。本発明は幾つかの実施形態と共に説明されているが、当業者には多数の変更、変形、改変、変換、及び修正が想起されるであろう。したがって、本発明ではそのような変更、変形、改変、変換、及び修正は添付の特許請求の範囲内に含まれることが意図されている。
【図１Ａ】
2015514335.tif 000003
【図１Ｂ】
2015514335.tif 000004
【図１Ｃ】
2015514335.tif 000005
【図２Ａ】
2015514335.tif 000006
【図２Ｂ】
2015514335.tif 000007
【図３】
2015514335.tif 000008
【図４】
2015514335.tif 000009
【図５】
2015514335.tif 000010
【図６】
2015514335.tif 000011
【図７】
2015514335.tif 000012
【図８Ａ】
2015514335.tif 000013
【図８Ｂ】
2015514335.tif 000014
【図９】
2015514335.tif 000015
【図１０】
2015514335.tif 000016
【国際調査報告】
2015514335.tif 000017
2015514335.tif 000018
2015514335.tif 000019